(57)【要約】  外科用器具は、ステープルカートリッジを伴うエンドエフェクタを含む。エンドエフェクタ及びステープルカートリッジは、中心線に沿って延在し、弓形部分を有する。ステープルカートリッジは、デッキと、複数のステープルとを含む。複数のステープルは、デッキを通るように形成されるステープル開口の外側列及び内側列の内部でのそれぞれの受け入れのためのステープルの外側セット及びステープルの内側セットを含む。ステープルの外側セットの少なくとも１つのステープルは、ステープルの内側セットに対して細長い頭頂部を有し、それにより、ステープルの外側セットは、中心線の横方向にステープルの内側セットと重なるように構成されている。
2018532494.tif 000002
【特許請求の範囲】
【請求項１】
患者の組織を処置するための外科用器具であって、
（ａ）シャフト組立体と、
（ｂ）ジョー中心線に沿って前記シャフト組立体から延在するエンドエフェクタであって、
（ｉ）アンビルに接して押圧される複数のステープルを形成するように構成されている前記アンビルを有する、第１のジョーと、
（ｉｉ）第２のジョーと、を備え、前記第１及び第２のジョーが開放構成と閉鎖構成との間で移行するように構成されている、エンドエフェクタと、
（ｃ）前記第２のジョー内に受け入れられるステープルカートリッジであって、前記ステープルカートリッジ及び前記エンドエフェクタは弓形部分を有し、前記ステープルカートリッジは、
（ｉ）前記アンビルに面するデッキであって、前記デッキは複数のステープル開口を画定し、前記複数のステープル開口は、前記弓形部分内の前記中心線から半径方向外向きに位置付けられるステープル開口の外側列と、前記弓形部分内の前記中心線から半径方向内向きに位置付けられるステープル開口の内側列とを備える、デッキと、
（ｉｉ）前記複数のステープル開口内部にそれぞれが位置付けられる複数のステープルであって、前記複数のステープルは、前記ステープル開口の外側列及び内側列の内部でのそれぞれの受け入れのためのステープルの外側セット及びステープルの内側セットを含む、複数のステープルと、を備え、
前記ステープルの外側セットの少なくとも１つのステープルは、前記ステープルの内側セットに対して細長い頭頂部を有し、それにより、前記ステープルの外側セットは、前記中心線に横向きの方向に前記ステープルの内側セットと重なるように構成されている、ステープルカートリッジと、
を備える、外科用器具。
【請求項２】
前記エンドエフェクタ、前記ステープルカートリッジ、及び前記中心線は直線部分を有し、前記直線部分は前記弓形部分まで延在する、請求項１に記載の外科用器具。
【請求項３】
前記複数のステープル開口は、ステープル開口の第１の列及びステープル開口の第２の列を備え、前記ステープル開口の第１の列及び第２の列は、中心線の各側に位置付けられ、前記直線部分内の前記デッキ上に形成されている、請求項２に記載の外科用器具。
【請求項４】
前記ステープル開口の外側列は、前記複数のステープル開口の間に複数の外側間隔を画定し、前記ステープル開口の内側列は、前記複数のステープル開口の間に複数の内側間隔を画定し、前記内側間隔及び外側間隔は、同等の伸長度を有する、請求項１に記載の外科用器具。
【請求項５】
前記複数のステープル開口は、前記ステープル開口の外側列と内側列との間に延在する少なくとも１つのステープル開口を更に含み、前記ステープル開口の外側列と内側列との間に延在する前記少なくとも１つのステープル開口は、前記中心線をまたぐ、請求項１に記載の外科用器具。
【請求項６】
前記中心線をまたぐ前記少なくとも１つのステープル開口は、前記デッキ内の最遠位ステープル開口である、請求項５に記載の外科用器具。
【請求項７】
前記第１のジョーは前記中心線に略平行に延在する第１の圧搾表面を備え、前記第１の圧搾表面は前記第１の圧搾表面に接する組織を受け入れるように構成され、前記第２のジョーは前記中心線に略平行に延在する第２の圧搾表面を備え、前記第２の圧搾表面は前記第２の圧搾表面に接する前記組織を受け入れるように構成され、前記第１及び第２の圧搾表面は、前記第１の圧搾表面と前記第２の圧搾表面との間の組織を、前記第１及び第２の圧搾表面に沿って前記組織を切断するように構成されている圧搾圧力で、圧縮するように構成されている、請求項１に記載の外科用器具。
【請求項８】
前記エンドエフェクタ、前記ステープルカートリッジ、及び前記中心線は、直線部分を有し、前記直線部分は、前記弓形部分まで延在し、前記第１及び第２の圧搾表面は、前記直線部分及び前記弓形部分に沿って延在する、請求項７に記載の外科用器具。
【請求項９】
前記第２の圧搾表面は、前記ステープルカートリッジの前記デッキ上に形成されている、請求項８に記載の外科用器具。
【請求項１０】
前記弓形部分は、前記エンドエフェクタの遠位先端まで延在し、前記エンドエフェクタの少なくとも一部分は、前記遠位先端に向かって内向きに先細りになる、請求項１に記載の外科用器具。
【請求項１１】
ステープルカートリッジは、前記デッキに接近して、近位スレッド位置から遠位スレッド位置まで摺動するように構成されている楔形スレッドを更に備え、前記遠位スレッド位置は、前記エンドエフェクタの前記弓形部分内にある、請求項１に記載の外科用器具。
【請求項１２】
前記ステープルカートリッジは、前記デッキの下方に位置付けられるスロットを更に備え、前記スロットは、前記弓形部分を少なくとも部分的に通って前記中心線に沿って延在する、請求項１１に記載の外科用器具。
【請求項１３】
前記ステープルカートリッジは、第１のドライバ及び第２のドライバを有するドライバ組立体を更に備え、前記第１のドライバは、前記複数のステープルの第１のステープルを受け入れ、前記第２のドライバは、前記複数のステープルの第２のステープルを受け入れ、前記ドライバ組立体は、前記遠位スレッド位置に向かって摺動する前記楔形スレッドによって係合されるように、かつ前記第１のジョーに向かって押されるように構成され、それにより、前記第１及び第２のステープルを組織内での形成のために前記アンビルに向かって押す、請求項１２に記載の外科用器具。
【請求項１４】
前記楔形スレッドは、カムランプを備え、前記カムランプは、前記スロット内部の前記中心線上に位置付けられ、前記ドライバ組立体に係合し、かつ前記第１のジョーに向かって前記ドライバ組立体を押すように構成されている、請求項１３に記載の外科用器具。
【請求項１５】
前記楔形スレッドと係合され、かつ前記近位スレッド位置から前記遠位スレッド位置に向かって前記楔形スレッドを駆動させるように作動されるように構成されている並進部材を更に備え、前記並進部材及び前記楔形スレッドは、前記弓形部分を通って前記スロットに沿って前記中心線をたどるように構成されている、請求項１４に記載の外科用器具。
【発明の詳細な説明】
【背景技術】
【０００１】
切開創をより小さくすることで、術後の回復時間及び合併症を低減させ得ることから、一部の状況では、従来の開腹外科用装置よりも内視鏡外科用器具が好ましい場合がある。このため、内視鏡外科用器具の中には、トロカールのカニューレを通して所望の手術部位に遠位エンドエフェクタを配置するのに適したものがある。これらの遠位エンドエフェクタは、様々な形で組織と係合して診断又は治療効果を得ることができる（例えば、エンドカッター、把持具、カッター、ステープラ、クリップアプライヤ、アクセス装置、薬物／遺伝子治療送達装置、及び、超音波振動、ＲＦ、レーザなどを使用するエネルギー送達装置など）。内視鏡外科用器具は、エンドエフェクタとハンドル部分との間に、臨床医によって操作されるシャフトを含むことがある。かかるシャフトは、所望の深さへの挿入及びシャフトの長手方向軸線を中心とした回転を可能にし、それにより患者の体内でエンドエフェクタの位置付けを行うことを容易とする。エンドエフェクタの位置付けは、エンドエフェクタをシャフトの長手方向軸線に対して選択的に関節動作させるか又は別の形で撓ませることを可能にする、１つ又は２つ以上の関節ジョイント又は機構を含めることによって更に容易に行うことができる。
【０００２】
内視鏡外科用器具の例として、外科用ステープラが挙げられる。かかるステープラのいくつかは、組織層をクランプし、クランプされた組織層を切断し、組織層を通してステープルを駆動することによって、組織層の切断された端部の近くで、切断された組織層同士を互いに実質的にシールするように動作可能である。あくまで例示の外科用ステープラが以下に開示されている。すなわち、１９８９年２月２１日に発行された「Ｐｏｃｋｅｔ  Ｃｏｎｆｉｇｕｒａｔｉｏｎ  ｆｏｒ  Ｉｎｔｅｒｎａｌ  Ｏｒｇａｎ  Ｓｔａｐｌｅｒｓ」と題する米国特許第４，８０５，８２３号、１９９５年５月１６日に発行された「Ｓｕｒｇｉｃａｌ  Ｓｔａｐｌｅｒ  ａｎｄ  Ｓｔａｐｌｅ  Ｃａｒｔｒｉｄｇｅ」と題する米国特許第５，４１５，３３４号、１９９５年１１月１４日に発行された「Ｓｕｒｇｉｃａｌ  Ｓｔａｐｌｅｒ  Ｉｎｓｔｒｕｍｅｎｔ」と題する米国特許第５，４６５，８９５号、１９９７年１月２８日に発行された「Ｓｕｒｇｉｃａｌ  Ｓｔａｐｌｅｒ  Ｉｎｓｔｒｕｍｅｎｔ」と題する米国特許第５，５９７，１０７号、１９９７年５月２７日に発行された「Ｓｕｒｇｉｃａｌ  Ｉｎｓｔｒｕｍｅｎｔ」と題する米国特許第５，６３２，４３２号、１９９７年１０月７日に発行された「Ｓｕｒｇｉｃａｌ  Ｉｎｓｔｒｕｍｅｎｔ」と題する米国特許第５，６７３，８４０号、１９９８年１月６日に発行された「Ａｒｔｉｃｕｌａｔｉｏｎ  Ａｓｓｅｍｂｌｙ  ｆｏｒ  Ｓｕｒｇｉｃａｌ  Ｉｎｓｔｒｕｍｅｎｔｓ」と題する米国特許第５，７０４，５３４号、１９９８年９月２９日に発行された「Ｓｕｒｇｉｃａｌ  Ｃｌａｍｐｉｎｇ  Ｍｅｃｈａｎｉｓｍ」と題する米国特許第５，８１４，０５５号、２００５年１２月２７日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａｎ  Ｅ−Ｂｅａｍ  Ｆｉｒｉｎｇ  Ｍｅｃｈａｎｉｓｍ」と題する米国特許第６，９７８，９２１号、２００６年２月２１日に発行された「Ｓｕｒｇｉｃａｌ  Ｓｔａｐｌｉｎｇ  Ｉｎｓｔｒｕｍｅｎｔ  Ｈａｖｉｎｇ  Ｓｅｐａｒａｔｅ  Ｄｉｓｔｉｎｃｔ  Ｃｌｏｓｉｎｇ  ａｎｄ  Ｆｉｒｉｎｇ  Ｓｙｓｔｅｍｓ」と題する米国特許第７，０００，８１８号、２００６年１２月５日に発行された「Ｓｕｒｇｉｃａｌ  Ｓｔａｐｌｉｎｇ  Ｉｎｓｔｒｕｍｅｎｔ  Ｈａｖｉｎｇ  ａ  Ｆｉｒｉｎｇ  Ｌｏｃｋｏｕｔ  ｆｏｒ  ａｎ  Ｕｎｃｌｏｓｅｄ  Ａｎｖｉｌ」と題する米国特許第７，１４３，９２３号、２００７年１２月４日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉ−Ｓｔｒｏｋｅ  Ｆｉｒｉｎｇ  Ｍｅｃｈａｎｉｓｍ  ｗｉｔｈ  ａ  Ｆｌｅｘｉｂｌｅ  Ｒａｃｋ」と題する米国特許第７，３０３，１０８号、２００８年５月６日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉｓｔｒｏｋｅ  Ｆｉｒｉｎｇ  Ｍｅｃｈａｎｉｓｍ  Ｈａｖｉｎｇ  ａ  Ｒｏｔａｒｙ  Ｔｒａｎｓｍｉｓｓｉｏｎ」と題する米国特許第７，３６７，４８５号、２００８年６月３日に発行された「Ｓｕｒｇｉｃａｌ  Ｓｔａｐｌｉｎｇ  Ｉｎｓｔｒｕｍｅｎｔ  Ｈａｖｉｎｇ  ａ  Ｓｉｎｇｌｅ  Ｌｏｃｋｏｕｔ  Ｍｅｃｈａｎｉｓｍ  ｆｏｒ  Ｐｒｅｖｅｎｔｉｏｎ  ｏｆ  Ｆｉｒｉｎｇ」と題する米国特許第７，３８０，６９５号、２００８年６月３日に発行された「Ａｒｔｉｃｕｌａｔｉｎｇ  Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｔｗｏ−Ｐｉｅｃｅ  Ｅ−Ｂｅａｍ  Ｆｉｒｉｎｇ  Ｍｅｃｈａｎｉｓｍ」と題する米国特許第７，３８０，６９６号、２００８年７月２９日に発行された「Ｓｕｒｇｉｃａｌ  Ｓｔａｐｌｉｎｇ  ａｎｄ  Ｃｕｔｔｉｎｇ  Ｄｅｖｉｃｅ」と題する米国特許第７，４０４，５０８号、２００８年１０月１４日に発行された「Ｓｕｒｇｉｃａｌ  Ｓｔａｐｌｉｎｇ  Ｉｎｓｔｒｕｍｅｎｔ  Ｈａｖｉｎｇ  Ｍｕｌｔｉｓｔｒｏｋｅ  Ｆｉｒｉｎｇ  ｗｉｔｈ  Ｏｐｅｎｉｎｇ  Ｌｏｃｋｏｕｔ」と題する米国特許第７，４３４，７１５号、２０１０年５月２５日に発行された「Ｄｉｓｐｏｓａｂｌｅ  Ｃａｒｔｒｉｄｇｅ  ｗｉｔｈ  Ａｄｈｅｓｉｖｅ  ｆｏｒ  Ｕｓｅ  ｗｉｔｈ  ａ  Ｓｔａｐｌｉｎｇ  Ｄｅｖｉｃｅ」と題する米国特許第７，７２１，９３０号、２０１３年４月２日に発行された「Ｓｕｒｇｉｃａｌ  Ｓｔａｐｌｉｎｇ  Ｉｎｓｔｒｕｍｅｎｔ  ｗｉｔｈ  Ａｎ  Ａｒｔｉｃｕｌａｔａｂｌｅ  Ｅｎｄ  Ｅｆｆｅｃｔｏｒ」と題する米国特許第８，４０８，４３９号、及び２０１３年６月４日に発行された「Ｍｏｔｏｒ−Ｄｒｉｖｅｎ  Ｓｕｒｇｉｃａｌ  Ｃｕｔｔｉｎｇ  Ｉｎｓｔｒｕｍｅｎｔ  ｗｉｔｈ  Ｅｌｅｃｔｒｉｃ  Ａｃｔｕａｔｏｒ  Ｄｉｒｅｃｔｉｏｎａｌ  Ｃｏｎｔｒｏｌ  Ａｓｓｅｍｂｌｙ」と題する米国特許第８，４５３，９１４号である。上に引用した米国特許のそれぞれの開示内容は、参照により本明細書に組み込まれる。
【０００３】
上述した外科用ステープラは、内視鏡手術において使用されるものとして記載されているが、このような外科用ステープラは、開口処置及び／又は他の非内視鏡手術でも使用することができることを理解されたい。ほんの一例として、トロカールをステープラの導管として使用しない胸部外科手術では、外科用ステープラを開胸術によって患者の肋骨の間に挿入し、１つ又は２つ以上の臓器に到達させることもできる。かかる手術では、肺につながる血管を切断及び閉鎖するためにステープラが使用される場合もある。例えば、臓器につながる血管を、胸腔から臓器を切除するのに先立ってステープラによって切断して閉鎖することができる。外科用ステープラを他の様々な状況及び手術で使用できることは言うまでもない。
【０００４】
開胸術に特別に適し得る又は開胸術によって使用され得る外科用ステープラの例が、２０１５年７月２９日に出願された「Ｓｕｒｇｉｃａｌ  Ｓｔａｐｌｅ  Ｃａｒｔｒｉｄｇｅ  ｗｉｔｈ  Ｃｏｍｐｒｅｓｓｉｏｎ  Ｆｅａｔｕｒｅ  ａｔ  Ｋｎｉｆｅ  Ｓｌｏｔ」と題する米国特許出願公開第１４／８１０，７８６号、２０１４年８月２８日に公開された「Ｓｕｒｇｉｃａｌ  Ｉｎｓｔｒｕｍｅｎｔ  Ｅｎｄ  Ｅｆｆｅｃｔｏｒ  Ａｒｔｉｃｕｌａｔｉｏｎ  Ｄｒｉｖｅ  ｗｉｔｈ  Ｐｉｎｉｏｎ  ａｎｄ  Ｏｐｐｏｓｉｎｇ  Ｒａｃｋｓ」と題する米国特許出願公開第２０１４／０２４３８０１号、２０１４年８月２８日に公開された「Ｌｏｃｋｏｕｔ  Ｆｅａｔｕｒｅ  ｆｏｒ  Ｍｏｖａｂｌｅ  Ｃｕｔｔｉｎｇ  Ｍｅｍｂｅｒ  ｏｆ  Ｓｕｒｇｉｃａｌ  Ｉｎｓｔｒｕｍｅｎｔ」と題する米国特許出願公開第２０１４／０２３９０４１号、２０１４年８月２８日に公開された「Ｉｎｔｅｇｒａｔｅｄ  Ｔｉｓｓｕｅ  Ｐｏｓｉｔｉｏｎｉｎｇ  ａｎｄ  Ｊａｗ  Ａｌｉｇｎｍｅｎｔ  Ｆｅａｔｕｒｅｓ  ｆｏｒ  Ｓｕｒｇｉｃａｌ  Ｓｔａｐｌｅｒ」と題する米国特許出願公開第２０１４／０２３９０４２号、２０１４年８月２８日に公開された「Ｊａｗ  Ｃｌｏｓｕｒｅ  Ｆｅａｔｕｒｅ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」と題する米国特許出願公開第２０１４／０２３９０３６号、２０１４年８月２８日に公開された「Ｓｕｒｇｉｃａｌ  Ｉｎｓｔｒｕｍｅｎｔ  ｗｉｔｈ  Ａｒｔｉｃｕｌａｔｉｏｎ  Ｌｏｃｋ  ｈａｖｉｎｇ  ａ  Ｄｅｔｅｎｔｉｎｇ  Ｂｉｎａｒｙ  Ｓｐｒｉｎｇ」と題する米国特許出願公開第２０１４／０２３９０４０号、２０１４年８月２８日に公開された「Ｄｉｓｔａｌ  Ｔｉｐ  Ｆｅａｔｕｒｅｓ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」と題する米国特許出願公開第２０１４／０２３９０４３号、２０１４年８月２８日に公開された「Ｓｔａｐｌｅ  Ｆｏｒｍｉｎｇ  Ｆｅａｔｕｒｅｓ  ｆｏｒ  Ｓｕｒｇｉｃａｌ  Ｓｔａｐｌｉｎｇ  Ｉｎｓｔｒｕｍｅｎｔ」と題する米国特許出願公開第２０１４／０２３９０３７号、２０１４年８月２８日に公開された「Ｓｕｒｇｉｃａｌ  Ｉｎｓｔｒｕｍｅｎｔ  ｗｉｔｈ  Ｍｕｌｔｉ−Ｄｉａｍｅｔｅｒ  Ｓｈａｆｔ」と題する米国特許公開第２０１４／０２３９０３８号、及び２０１４年８月２８日に公開された「Ｉｎｓｔａｌｌａｔｉｏｎ  Ｆｅａｔｕｒｅｓ  ｆｏｒ  Ｓｕｒｇｉｃａｌ  Ｉｎｓｔｒｕｍｅｎｔ  Ｅｎｄ  Ｅｆｆｅｃｔｏｒ  Ｃａｒｔｒｉｄｇｅ」と題する米国特許出願公開第２０１４／０２３９０４４号に開示されている。以上に引用した米国特許出願のそれぞれの開示内容は、参照により本明細書に組み込まれる。
【０００５】
様々な種類の外科用ステープル留め器具及び関連構成要素が作製され使用されてきたが、本発明者（ら）以前には、添付の請求項に記載されている発明を誰も作製又は使用したことがないものと考えられる。
【図面の簡単な説明】
【０００６】
本明細書に組み込まれると共にその一部をなす添付の図面は、本発明の実施形態を示すものであり、上記の本発明の一般的説明、及び以下の実施形態の詳細な説明と共に、本発明の原理を説明する役割を果たすものである。
【図１】例示的な関節動作外科用ステープル留め器具の斜視図を示す。
【図２】図１の器具の側面図を示す。
【図３】エンドエフェクタが閉鎖構成にある、図１の器具のエンドエフェクタの斜視図を示す。
【図４】エンドエフェクタが開放構成にある、図３のエンドエフェクタの斜視図を示す。
【図５】図３のエンドエフェクタの分解斜視図を示す。
【図６】図４の線６−６に沿って取られた、図３のエンドエフェクタの端面断面図を示す。
【図７Ａ】発射ビームが近位位置にある、図４の線７−７に沿って取られた、図３のエンドエフェクタの側面断面図を示す。
【図７Ｂ】発射ビームが遠位位置にある、図４の線７−７に沿って取られた、図３のエンドエフェクタの側面断面図を示す。
【図８】組織に位置付けられ、組織内で１回作動された後の、図３のエンドエフェクタの斜視図を示す。
【図９】関節運動する外科用ステープル留め器具の別の実施例の側面図を示す。
【図１０】エンドエフェクタが開放構成にある、図９の器具のエンドエフェクタの斜視図を示す。
【図１１】図１０のエンドエフェクタの下側ジョーの上面図を示す。
【図１２】図１０のエンドエフェクタの上側ジョーの底面図を示す。
【図１３】図１１の下側ジョーの分解斜視図を示す。
【図１４】図１１の下側ジョーの上面図を示す。
【図１５Ａ】肝組織を通って延在する血管を有する肝臓の略図を示す。
【図１５Ｂ】図１５Ａの肝組織を切断した、図１０のエンドエフェクタの略図を示す。
【図１５Ｃ】図１５Ａの切断された肝組織から露出された、図１５Ｂの血管の略図を示す。
【図１５Ｄ】図１５Ｃの露出された血管をステープル留めする、図１０のエンドエフェクタの略図を示す。
【図１５Ｅ】露出及びステープル留めされた図１５Ｄの血管の略図を示す。
【図１５Ｆ】肝組織及びそこから切除された血管の一部分を有する、図１５Ａの肝臓の略図を示す。
【０００７】
図面は、いかなる方式でも限定することを意図しておらず、本発明の種々の実施形態は、図面に必ずしも描写されていないものを含め、他の様々な方式で実施し得ることが考えられる。本明細書に組み込まれ、その一部をなす添付図面は、本発明のいくつかの態様を図示したものであり、本説明文と共に本発明の原理を説明する役割を果たすものである。しかしながら、本発明が示される正確な配置に限定されない点が理解される。
【発明を実施するための形態】
【０００８】
本発明の特定の例の以下の説明文は、本発明の範囲を限定する目的で用いられるべきではない。本発明の他の例、特徴、態様、実施形態、及び利点は、本発明を実施するために想到される最良の形態の１つを実例として示す以下の説明文より当業者には明らかとなろう。理解されるように、本発明には、いずれも本発明から逸脱することなく、他の異なる、かつ明白な態様が可能である。したがって、図面及び説明は、限定的な性質のものではなく、例示的な性質のものと見なされるべきである。
【０００９】
Ｉ．例示的な外科用ステープラ
図１は、例示的な外科用ステープル留め及び切断器具（１０）を表し、この器具は、ハンドル組立体（２０）と、シャフト組立体（３０）と、エンドエフェクタ（４０）と、を含む。エンドエフェクタ（４０）及びシャフト組立体（３０）の遠位部分は、外科的処置を行うために、図１に描写されるような非関節動作状態で、トロカールカニューレを通って患者内の手術部位まで挿入するように寸法決めされている。単なる例示として、患者の腹部内に、患者の２本の肋骨の間に、又はその他の部位に、かかるトロカールを挿入してもよい。一部の状況では、器具（１０）は、トロカールなしで使用される。例えば、エンドエフェクタ（４０）及びシャフト組立体の遠位部分（３０）を、開胸術又は他の種類の切開によって直接挿入することができる。本明細書では、「近位」及び「遠位」といった用語は、器具（１０）のハンドル組立体（２０）を握っている臨床医を基準として使用されていることを理解されたい。したがって、エンドエフェクタ（４０）は、より近位にあるハンドル組立体（２０）に対して遠位にある。便宜上、また説明を明確にするため、本明細書では「垂直」及び「水平」といった空間的な用語が、図面に対して使用されている点も更に認識されるであろう。しかしながら、外科器具は、多くの配向及び位置で使用されるものであり、これらの用語は、限定的かつ絶対的なものであることを意図するものではない。
【００１０】
Ａ．例示的なハンドル組立体及びシャフト組立体
図１〜２に示すように、本例のハンドル組立体（２０）は、ピストルグリップ（２２）、閉鎖トリガー（２４）、及び発射トリガー（２６）を含む。各トリガー（２４、２６）は、以下により詳細に記載されるように、ピストル把持部（２２）に向かって、及びそれから離れるように選択的に枢動可能である。ハンドル組立体（２０）は、アンビル解放ボタン（２５）と、発射ビーム反転スイッチ（２７）と、取り外し可能な電池パック（２８）と、を更に含んでいる。これらの構成要素についても、以下でより詳細に説明する。勿論、ハンドル組立体（２０）は、上記したもののいずれかに加えて又はその代わりに様々な他の構成要素、特徴、及び動作性を有することができる。ハンドル組立体（２０）の他の好適な構成は、本明細書の教示を考慮することで当業者には明らかであろう。
【００１１】
図１〜図３に示すように、本例のシャフト組立体（３０）は、外側閉鎖管（３２）、関節運動部（３４）、及び閉鎖用リング（３６）を備え、それは、更にエンドエフェクタ（４０）に連結する。閉鎖チューブ（３２）はシャフト組立体（３０）の長さに沿って延在する。閉鎖リング（３６）は、関節運動部（３４）の遠位に位置付けられている。閉鎖管（３２）及び閉鎖用リング（３６）は、ハンドル組立体（２０）に対して長手方向に並進するように構成されている。閉鎖チューブ（３２）の長手方向並進運動は、関節運動部（３４）を介して閉鎖リング（３６）に伝達される。閉鎖管（３２）及び閉鎖用リング（３６）を長手方向に並進するのに使用できる例示の機構は、以下により詳細に記載される。
【００１２】
関節運動部（３４）は、シャフト組立体（３０）の長手方向軸線（ＬＡ）から所望の角度（α）で横方向へ離れるように、閉鎖リング（３６）とエンドエフェクタ（４０）を横方向に偏向させるよう動作可能である。エンドエフェクタ（４０）は、そのようにして、所望の角度から又は他の理由のために、臓器の背後に到達するか又は組織に近付くことができる。一部の形態においては、関節運動部（３４）は、単一の平面に沿ってエンドエフェクタ（４０）を偏向させることができる。その他の一部の形態では、関節運動部（３４）により、２つ以上の平面に沿ってエンドエフェクタを撓ませることができる。本例では、関節運動は、シャフト組立体（３０）の近位端に位置する関節運動制御ノブ（３５）によって制御される。ノブ（３５）は、シャフト組立体（３０）の長手方向軸線（ＬＡ）に対して垂直な軸線を中心として回転可能である。閉鎖用リング（３６）及びエンドエフェクタ（４０）は、ノブ（３５）の回転に反応してシャフト組立体（３０）の長手方向軸線（ＬＡ）に垂直な軸線の周りを枢動する。ほんの一例として、ノブ（３５）が時計回りに回転すると、関節運動部（３４）において閉鎖用リング（３６）及びエンドエフェクタ（４０）が対応して時計回りに枢動する。関節運動部（３４）は、関節運動部（３４）が真っ直ぐな構成であるか、又は関節運動構成であるかにかかわらず、閉鎖管（３２）が閉鎖用リング（３６）まで長手方向に並進するのを伝達するように構成されている。
【００１３】
一部の形態では、関節動作部（３４）及び／又は関節動作制御ノブ（３５）は、その開示内容が参照により本明細書に組み込まれる、２０１４年８月２８日に公開された「Ｓｕｒｇｉｃａｌ  Ｉｎｓｔｒｕｍｅｎｔ  Ｅｎｄ  Ｅｆｆｅｃｔｏｒ  Ａｒｔｉｃｕｌａｔｉｏｎ  Ｄｒｉｖｅ  ｗｉｔｈ  Ｐｉｎｉｏｎ  ａｎｄ  Ｏｐｐｏｓｉｎｇ  Ｒａｃｋｓ」と題する米国特許出願公開第２０１４／０２４３８０１号の教示の少なくとも一部に従って、構成され、作動可能である。関節動作部（３４）は、また、その開示内容が参照により本明細書に組み込まれる、２０１４年６月２５日出願の「Ａｒｔｉｃｕｌａｔｉｏｎ  Ｄｒｉｖｅ  Ｆｅａｔｕｒｅｓ  ｆｏｒ  Ｓｕｒｇｉｃａｌ  Ｓｔａｐｌｅｒ」という名称の米国特許出願第１４／３１４，１２５号、及び／又は以下の種々の教示に従って構成され、作動可能であってもよい。関節運動部（３４）及び関節動作ノブ（３５）が取り得る他の好適な形態は、本明細書の教示を鑑みれば当業者には明らかになるであろう。
【００１４】
図１〜２に示すように、本例のシャフト組立体（３０）は、回転ノブ（３１）を更に含む。回転ノブ（３１）は、シャフト組立体（３０）の長手方向軸線（ＬＡ）の周りを、ハンドル組立体（２０）に対して、全シャフト組立体（３０）及びエンドエフェクタ（４０）を回転するように動作可能である。一部の形態では、回転ノブ（３１）は、シャフト組立体（３０）の長手方向軸線（ＬＡ）の周りを、ハンドル組立体（２０）に対して、シャフト組立体（３０）及びエンドエフェクタ（４０）の角度位置を選択的に係止するように動作可能である。例えば、回転ノブ（３１）は、シャフト組立体（３０）及びエンドエフェクタ（４０）がシャフト組立体（３０）の長手方向軸線（ＬＡ）の周りをハンドル組立体（２０）に対して回転可能である第１の長手方向位置と、シャフト組立体（３０）及びエンドエフェクタ（４０）がシャフト組立体（３０）の長手方向軸線（ＬＡ）の周りを、ハンドル組立体（２０）に対して回転できない第２の長手方向位置との間で並進可能である。当然のことながら、シャフト組立体（３０）は、上記したもののいずれかに加えて又はその代わりに様々な他の構成要素、特徴、及び動作性を有することができる。単に例として、シャフト組立体（３０）の少なくとも一部は、その開示内容が参照により本明細書に組み込まれる、２０１４年８月２８日公開の「Ｓｕｒｇｉｃａｌ  Ｉｎｓｔｒｕｍｅｎｔ  ｗｉｔｈ  Ｍｕｌｔｉ−Ｄｉａｍｅｔｅｒ  Ｓｈａｆｔ」という名称の米国特許出願公開第２０１４／０２３９０３８号の教示のうちの少なくともいくつかに従って構成されてもよい。シャフト組立体（３０）の他の好適な構成は、本明細書の教示を鑑みれば当業者には明らかになるであろう。
【００１５】
Ｂ．例示的なエンドエフェクタ
図３〜図５にも示されているように、本例のエンドエフェクタ（４０）は、下側ジョー（５０）及び枢動可能なアンビル（６０）を含む。アンビル（６０）は、下側ジョー（５０）の対応する湾曲スロット（５４）に位置付けられている一対の一体的な、外側に延在するピン（６６）を含む。アンビル（６０）は、開放位置（図２及び４に示す）と閉鎖位置（図１、３、及び７Ａ〜７Ｂに示す）との間で、下側ジョー（５０）に向かって、及びそれから離れるように、枢動可能である。「枢動可能」という用語（及び「枢動」を基体とした類義語）の使用は、必ずしも固定軸線を中心とした枢動運動を必要とすると理解されるべきではない。例えば、本例において、アンビル（６０）は、ピン（６６）により画定される軸線を中心に枢動し、このピンは、アンビル（６０）が下側ジョー（５０）に向かって動くと、下側ジョー（５０）の湾曲スロット（５４）に沿って摺動する。かかる形態では、枢動軸線がスロット（５４）によって画定された経路に沿って並進する一方で、アンビル（６０）はその軸線を中心として同時に枢動する。追加的にあるいは代替的に、まず枢動軸線がスロット（５４）に沿って摺動し、次いで枢動軸線がスロット（５４）に沿ってある一定の距離を摺動した後に、アンビル（６０）が枢動軸線を中心として枢動してもよい。そのような摺動／並進枢動運動は、「枢動」、「枢動する」「枢動の」、「枢動可能な」、「枢動している」などの用語内に包含されることを理解されたい。当然のことながら、一部の形態は、固定されたままである、かつスロット又はチャネルなどの内側を並進しない、軸線を中心としたアンビル（６０）の枢動運動を提供してもよい。
【００１６】
図５に最もわかりやすく示されるように、本例の下側ジョー（５０）は、ステープルカートリッジ（７０）を受け入れるように構成されているチャネル（５２）を画定する。ステープルカートリッジ（７０）はチャネル（５２）に挿入することができ、エンドエフェクタ（４０）を作動し、その後、ステープルカートリッジ（７０）を取り外し、別のステープルカートリッジ（７０）と交換することができる。したがって、下側ジョー（５０）は、エンドエフェクタ（４０）を作動するためのアンビル（６０）と位置合わせされてステープルカートリッジ（７０）を解放可能に保持する。一部の形態では、下側ジョー（５０）は、その開示内容が参照により本明細書に組み込まれる、２０１４年８月２８日に公開された「Ｉｎｓｔａｌｌａｔｉｏｎ  Ｆｅａｔｕｒｅｓ  ｆｏｒ  Ｓｕｒｇｉｃａｌ  Ｉｎｓｔｒｕｍｅｎｔ  Ｅｎｄ  Ｅｆｆｅｃｔｏｒ  Ｃａｒｔｒｉｄｇｅ」と題する米国特許出願公開第２０１４／０２３９０４４号の教示の少なくとも一部に従って構成されている。下側ジョー（５０）が取り得る他の好適な形態は、本明細書の教示を鑑みれば当業者には明らかとなるであろう。
【００１７】
図４〜図６に最もよく示されるように、本例のステープルカートリッジ（７０）はカートリッジ本体（７１）と、カートリッジ本体（７１）の下面に固着されたトレー（７６）を備えている。カートリッジ本体（７１）の上面は、アンビル（６０）が閉鎖位置にあるときに、組織を圧縮できるデッキ（７３）を提示する。カートリッジ本体（７１）は、長手方向に延在するチャネル（７２）及び複数のステープルポケット（７４）を更に画定する。ステープル（７７）は、各ステープルポケット（７４）内に位置付けられている。ステープルドライバ（７５）はまた、各ステープルポケット（７４）内で、対応するステープル（７７）の下に、かつトレー（７６）の上に位置付けられている。以下でより詳細に説明されるように、ステープルドライバ（７５）はステープルポケット（７４）内で上向きに並進運動するよう動作可能であり、これによりステープル（７７）をステープルポケット（７４）を通って上向きに駆動させ、アンビル（６０）と係合させる。ステープルドライバ（７５）は、楔形スレッド（７８）により上向きに駆動され、この楔形スレッドはカートリッジ本体（７１）とトレー（７６）との間に捕捉されており、これがカートリッジ本体（７１）を通って長手方向に並進運動する。楔形スレッド（７８）は、一対の傾斜した角度のカム表面（７９）を含み、それらは、ステープルドライバ（７５）と係合し、それによって、楔形スレッド（７８）がカートリッジ（７０）を通って長手方向に並進するにつれてステープルドライバ（７５）を上向きに駆動するように構成されている。例えば、楔形スレッド（７８）が図７Ａに示すように近位位置にあるときに、ステープルドライバ（７５）は下方位置にあり、ステープル（７７）はステープルポケット（７４）内に位置する。図７Ｂに示すように、ナイフ部材（８０）の並進運動によって楔状スレッド（７８）が遠位位置に駆動されると、楔状スレッド（７８）がステープルドライバ（７５）を上向きに駆動し、これによりステープル（７７）をステープルポケット（７４）から排出させ、ステープル形成ポケット（６４）内へと駆動する。よって、楔形スレッド（７８）が水平寸法に沿って並進すると、ステープルドライバ（７５）は垂直寸法に沿って並進する。
【００１８】
ステープルカートリッジ（７０）を多様な方法で変更できることを理解されたい。例えば、本例のステープルカートリッジ（７０）は、チャネル（７２）の一方の側に、長手方向に延在する２列のステープルポケット（７４）を含み、チャネル（７２）の他方の側に別の組の長手方向に延在する２列のステープルポケット（７４）を含む。しかし、他の一部の形態では、ステープルカートリッジ（７０）は、チャネル（７２）の両側において３つ、１つ、又は他の数のステープルポケット（７４）を含む。一部の形態では、ステープルカートリッジ（７０）は、その開示内容が参照により本明細書に組み込まれる、２０１４年８月２８日に公開された「Ｉｎｔｅｇｒａｔｅｄ  Ｔｉｓｓｕｅ  Ｐｏｓｉｔｉｏｎｉｎｇ  ａｎｄ  Ｊａｗ  Ａｌｉｇｎｍｅｎｔ  Ｆｅａｔｕｒｅｓ  ｆｏｒ  Ｓｕｒｇｉｃａｌ  Ｓｔａｐｌｅｒ」と題する米国特許出願公開第２０１４／０２３９０４２号の教示の少なくとも一部に従って、構成され、作動可能である。追加的にあるいは代替的に、ステープルカートリッジ（７０）は、その開示内容が参照により本明細書に組み込まれる、２０１４年８月２８日に公開された「Ｉｎｓｔａｌｌａｔｉｏｎ  Ｆｅａｔｕｒｅｓ  ｆｏｒ  Ｓｕｒｇｉｃａｌ  Ｉｎｓｔｒｕｍｅｎｔ  Ｅｎｄ  Ｅｆｆｅｃｔｏｒ  Ｃａｒｔｒｉｄｇｅ」と題する米国特許出願公開第２０１４／０２３９０４４号の教示の少なくとも一部に従って、構成され、作動可能であってもよい。ステープルカートリッジ（７０）が取り得る他の好適な形態は、本明細書の教示を鑑みれば当業者には明らかとなるであろう。
【００１９】
図４で最もよくわかるように、本例のアンビル（６０）は、長手方向に延在するチャネル（６２）と、複数のステープル成形ポケット（６４）とを備えている。チャネル（６２）は、アンビル（６０）が閉鎖位置にあるときに、ステープルカートリッジ（７０）のチャネル（７２）と整列するように構成されている。ステープル成形ポケット（６４）はそれぞれアンビル（６０）が閉鎖位置にあるときに、ステープルカートリッジ（７０）の対応するステープルポケット（７４）の上に置かれるように位置付けられている。ステープル成形ポケット（６４）は、ステープル（７７）が組織を通してアンビル（６０）の中に駆動されるときに、ステープル（７７）の脚部を変形させるように構成されている。特に、ステープル成形ポケット（６４）は、成形されたステープル（７７）を組織内で固定するためにステープル（７７）の脚部を曲げるように構成されている。アンビル（６０）は、２０１４年８月２８日に公開された「Ｉｎｔｅｇｒａｔｅｄ  Ｔｉｓｓｕｅ  Ｐｏｓｉｔｉｏｎｉｎｇ  ａｎｄ  Ｊａｗ  Ａｌｉｇｎｍｅｎｔ  Ｆｅａｔｕｒｅｓ  ｆｏｒ  Ｓｕｒｇｉｃａｌ  Ｓｔａｐｌｅｒ」と題する米国特許出願公開第２０１４／０２３９０４２号の教示の少なくとも一部、２０１４年８月２８日公開の「Ｊａｗ  Ｃｌｏｓｕｒｅ  Ｆｅａｔｕｒｅ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」と題する米国特許出願公開第２０１４／０２３９０３６号の教示のうちの少なくとも一部、及び／又はその開示内容が参照により本明細書に組み込まれる、２０１４年８月２８日公開の「Ｓｔａｐｌｅ  Ｆｏｒｍｉｎｇ  Ｆｅａｔｕｒｅｓ  ｆｏｒ  Ｓｕｒｇｉｃａｌ  Ｓｔａｐｌｉｎｇ  Ｉｎｓｔｒｕｍｅｎｔ」と題する米国特許出願公開第２０１４／０２３９０３７号の教示のうちの少なくとも一部に従って構成されてもよい。アンビル（６０）が取り得る他の好適な形態は、本明細書の教示を鑑みれば当業者には明らかとなるであろう。
【００２０】
本例では、ナイフ部材（８０）は、エンドエフェクタ（４０）を通して並進するように構成されている。図５及び７Ａ〜７Ｂで最もよくわかるように、ナイフ部材（８０）は発射ビーム（８２）の遠位端に固定されており、この発射ビームは、シャフト組立体（３０）の一部分を通って延在する。図４及び図６で最もよくわかるように、ナイフ部材（８０）は、アンビル（６０）及びステープルカートリッジ（７０）のチャネル（６２、７２）内に位置付けられている。ナイフ部材（８０）は、ナイフ部材（８０）がエンドエフェクタ（４０）を通して遠位方向に並進するにつれて、アンビル（６０）とステープルカートリッジ（７０）のデッキ（７３）との間で圧縮されている組織を切断するように構成されている、遠位側に示された切断縁部（８４）を含む。上記に述べたように、かつ図７Ａ〜図７Ｂに示すように、ナイフ部材（８０）はまた、ナイフ部材（８０）がエンドエフェクタ（４０）を通して遠位に並進するにつれて楔形スレッド（７８）を遠位に駆動し、それによってステープル（７７）が組織を通してアンビル（６０）に対して駆動され、形成される。ナイフ部材（８０）をエンドエフェクタ（４０）を通して遠位に駆動するのに使用できる様々な機構については、以下に詳細に記載する。
【００２１】
一部の形態では、エンドエフェクタ（４０）は、ステープルカートリッジ（７０）が下側ジョー（５０）に挿入されていないときに、ナイフ部材（８０）がエンドエフェクタ（４０）を通して遠位側に前進するのを防止するように構成されているロックアウト機構を含む。追加的にあるいは代替的に、エンドエフェクタ（４０）は、１回作動された後のステープルカートリッジ（７０）（例えば、全てのステープル（７７）がそこから配備された）が下側ジョー（５０）に挿入されているときに、ナイフ部材（８０）がエンドエフェクタ（４０）を通して遠位側に前進するのを防止するように構成されているロックアウト機構を含む。ほんの一例として、そのようなロックアウト機構は、その開示内容が参照により本明細書に組み込まれる、２０１４年８月２８日に公開された「Ｌｏｃｋｏｕｔ  Ｆｅａｔｕｒｅ  ｆｏｒ  Ｍｏｖａｂｌｅ  Ｃｕｔｔｉｎｇ  Ｍｅｍｂｅｒ  ｏｆ  Ｓｕｒｇｉｃａｌ  Ｉｎｓｔｒｕｍｅｎｔ」と題する米国特許出願公開第２０１４／０２３９０４１号の教示の少なくとも一部、及び／又は開示内容が参照することによって本明細書によって組み込まれる、２０１４年６月２５日に出願された「Ｍｅｔｈｏｄ  ｏｆ  Ｕｓｉｎｇ  Ｌｏｃｋｏｕｔ  Ｆｅａｔｕｒｅｓ  ｆｏｒ  Ｓｕｒｇｉｃａｌ  Ｓｔａｐｌｅ  ｃａｒｔｒｉｄｇｅ」と題する米国特許出願第１４／３１４，１０８号の教示の少なくとも一部に従って構成されてもよい。ロックアウト機構が取り得る他の好適な形態は、本明細書の教示を鑑みれば当業者には明らかとなるであろう。あるいは、エンドエフェクタ（４０）は単に、そのようなロックアウト機構を省略してもよい。
【００２２】
Ｃ．例示的なアンビル作動
本例において、アンビル（６０）は、閉鎖用リング（３６）をエンドエフェクタ（４０）に対して遠位側に前進させることによって、下側ジョー（５０）に向かって駆動される。閉鎖用リング（３６）は、カム作用を介してアンビル（６０）と協働し、エンドエフェクタ（４０）に対する閉鎖用リング（３６）の遠位への並進に反応してアンビル（６０）を下側ジョー（５０）に向かって駆動する。同様に、閉鎖用リング（３６）は、アンビル（６０）と協働し、エンドエフェクタ（４０）に対する閉鎖用リング（３６）の近位側への並進に反応してアンビル（６０）を下側ジョー（５０）から離れて開放することができる。ほんの一例として、閉鎖リング（３６）とアンビル（６０）は、開示内容が参照することによって本明細書によって組み込まれる、２０１４年８月２８日公開された「Ｊａｗ  Ｃｌｏｓｕｒｅ  Ｆｅａｔｕｒｅ  ｆｏｒ  Ｅｎｄ  Ｅｆｆｅｃｔｏｒ  ｏｆ  Ｓｕｒｇｉｃａｌ  Ｉｎｓｔｒｕｍｅｎｔ」と題する米国特許出願公開第２０１４／０２３９０３６号の教示のうちの少なくとも一部に従って、及び／又は開示内容が参照することによって本明細書によって組み込まれる、２０１４年６月２５日に出願された「Ｊａｗ  Ｏｐｅｎｉｎｇ  Ｆｅａｔｕｒｅ  ｆｏｒ  Ｓｕｒｇｉｃａｌ  Ｓｔａｐｌｅｒ」と題する米国特許出願第１４／３１４，１０８号の教示の少なくとも一部に従って、相互作用してもよい。エンドエフェクタ（４０）に対して閉鎖用リング（３６）を長手方向に並進するのに使用できる例示の機構は、以下により詳細に記載される。
【００２３】
上記に述べたように、ハンドル組立体（２０）は、ピストル把持部（２２）及び閉鎖トリガー（２４）を含む。また、上記したように、アンビル（６０）は、閉鎖用リング（３６）の遠位前進に反応して下側ジョー（５０）に向かって閉鎖される。本例において、閉鎖トリガー（２４）は、閉鎖管（３２）及び閉鎖用リング（３６）を遠位側に駆動させるように、ピストル把持部（２２）に向かって枢動可能である。本明細書の教示を考慮することで、ピストル把持部（２２）に向かう閉鎖トリガー（２４）の枢軸運動を、ハンドル組立体（２０）に対する閉鎖管（３２）及び閉鎖用リング（３６）の遠位への並進に変換するのに使用され得る様々な好適な構成要素が、当業者には明らかであろう。閉鎖トリガー（２４）は、アンビル（６０）が、下側ジョー（５０）に対して完全な閉鎖位置になるような完全な枢動状態に達するときに、ハンドル組立体（２０）のロック機構は、閉鎖トリガー（２４）及び閉鎖管（３２）の位置を係止し、それによってアンビル（６０）を下側ジョー（５０）に対して完全な閉鎖位置に係止する。これらの係止機構は、アンビル解放ボタン（２５）の作動によって解放される。アンビル解放ボタン（２５）は、ピストル把持部（２２）をつかむオペレータの手の親指で作動されるように構成され、位置付けられている。言い換えると、オペレータは、ピストル把持部（２２）を片手でつかみ、閉鎖トリガー（２４）を同じ手の１本又は２本以上の指で作動し、その後、同じ手によるピストル把持部（２２）のつかみを解放する必要なく、アンビル解放ボタン（２５）を同じ手の親指で作動することができる。本明細書の教示を考慮することで、アンビル（６０）の作動に使用できる他の好適な機構が当業者に明らかとなるであろう。
【００２４】
Ｄ．発射ビームの例示的作動
本発明の例では、器具（１０）は、発射ビーム（８２）の電動制御を提供する。特に、器具（１０）は、発射トリガー（２６）のピストル把持部（２２）に向かう枢動に応答して発射ビーム（８２）を遠位に駆動するように構成された、電動構成要素を備えている。一部の形態では、モーター（図示せず）がピストル把持部（２２）内に含まれ、電池パック（２８）から電力を受信する。このモーターは、モーターの駆動シャフトの回転運動を、発射ビーム（８２）の線形移動に変換する伝送組立体（図示せず）に連結される。一部のこのような形態では、アンビル（６０）が下側ジョー（５０）に対して完全閉鎖位置にあるときに、発射ビーム（８２）は遠位に前進しかできない。図７Ａ〜７Ｂを参照して上述されるように、発射ビーム（８２）が遠位に前進して組織を切断し、ステープル（７７）を駆動した後、発射ビーム（８２）用の駆動組立体は、自動的に反転し、発射ビーム（８２）を近位に後退位置に戻すように駆動できる（例えば、図７Ｂに示される位置から図７Ａに示される位置まで戻す）。あるいは、オペレータは、発射ビーム（８２）用の駆動組立体を反転して発射ビーム（８２）を近位位置に後退できる、発射ビーム反転スイッチ（２７）を作動してよい。本例のハンドル組立体（２０）は、機械的脱出をもたらすように操作可能であり、オペレータが手動で発射ビーム（８２）を近位に後退させることを可能にする（例えば、発射ビーム（８２）が遠位位置にある間に電力損失した場合など）、脱出機構（２１）を更に備えている。
【００２５】
あくまで一例として、発射ビーム（８２）の電動化作動をもたらすように操作可能な機構は、２０１２年７月３日に発行された「Ｍｏｔｏｒ−Ｄｒｉｖｅｎ  Ｓｕｒｇｉｃａｌ  Ｉｎｓｔｒｕｍｅｎｔ」と題する米国特許第８，２１０，４１１号（この開示は、参照により本明細書に組み込まれる）の教示のうち少なくとも一部に従って、構成され、操作することができる。別の単なる例示例として、発射ビーム（８２）の電動化作動をもたらすように操作可能な機構は、２０１３年６月４日に発行された「Ｍｏｔｏｒ−Ｄｒｉｖｅｎ  Ｓｕｒｇｉｃａｌ  Ｃｕｔｔｉｎｇ  Ｉｎｓｔｒｕｍｅｎｔ  ｗｉｔｈ  Ｅｌｅｃｔｒｉｃ  Ａｃｔｕａｔｏｒ  Ｄｉｒｅｃｔｉｏｎａｌ  Ｃｏｎｔｒｏｌ  Ａｓｓｅｍｂｌｙ」と題する米国特許第８，４５３，９１４号（この開示は、参照により本明細書に組み込まれる）の教示のうち少なくとも一部に従って、構成され、操作することができる。更に別の単なる例示例として、発射ビーム（８２）の電動化作動をもたらすように操作可能な機構は、２０１４年３月２６日に出願された「Ｓｕｒｇｉｃａｌ  Ｉｎｓｔｒｕｍｅｎｔ  Ｃｏｍｐｒｉｓｉｎｇ  ａ  Ｓｅｎｓｏｒ  Ｓｙｓｔｅｍ」と題する米国特許出願第１４／２２６，１４２号（この開示は、参照により本明細書に組み込まれる）の教示のうち少なくとも一部に従って、構成され、操作することができる。
【００２６】
発射ビーム（８２）の電動化をもたらすために使用できるその他好適な構成要素、特徴部、及び構成は、本明細書の教示を鑑みれば当業者には明らかになるであろう。また、他の形態において、発射ビーム（８２）のマニュアル駆動が提供され、モーターが省かれてもよいことも理解されたい。あくまで一例として、発射ビーム（８２）は、本明細書で引用されるその他の参照文献の教示のうち少なくとも一部に従って手動で作動することができる。
【００２７】
図８は、組織（９０）を通じた１回のストロークを通して作動されたエンドエフェクタ（４０）を示している。示されるように、切断縁部（８４）（図８では不明瞭）は、組織（９０）を切断したが、ステープルドライバ（７５）は、切断縁部（８４）が作り出した切断線の各側で、組織（９０）を通してステープル（７７）の２本の交互の列を駆動した。この例では、全てのステープル（７７）が切断線と略平行に向いているが、ステープル（７７）は、任意の好適な向きで位置付けされ得る点を理解されたい。本例では、第１のストロークが完了した後にエンドエフェクタ（４０）をトロカールから引き抜き、使用済みのステープルカートリッジ（７０）を新しいステープルカートリッジ（７０）と交換し、その後、エンドエフェクタ（４０）を再びトロカールを通じて挿入して、ステープル留めする部位に到達させて更なる切断及びステープル留めを行う。所望の量の切断及びステープル（７７）が与えられるまで、このプロセスを繰り返すことができる。トロカールを通じた挿入及び抜脱を助けるためにはアンビル（６０）を閉鎖する必要があり、ステープルカートリッジ（７０）の交換を助けるためにはアンビル（６０）を開放する必要がある。
【００２８】
各作動ストロークの間に、ステープル（７７）が組織に貫通して駆動されるのと略同時に、切断縁部（８４）が組織を切断することができる点を理解されたい。本例において、切断縁部（８４）は、ステープル（７７）の駆動動作よりもごくわずかに遅れて進むため、ステープル（７７）は、切断縁部（８４）が組織の同じ領域を通過する直前に組織を通して駆動されるが、この順序を逆にすることができる点、又は、切断縁部（８４）が隣接するステープルと直接的に一緒に動いてもよい点を理解されたい。図８は、２層（９２、９４）の組織（９０）で作動しているエンドエフェクタ（４０）を示しているが、エンドエフェクタ（４０）は、１層の組織（９０）、又は２層（９２、９４）を超える組織を通じて作動され得る点を理解されたい。また、切断縁部（８４）が形成する切断線に隣接するステープル（７７）の成形及び位置付けにより、切断線において組織を実質的にシールすることができ、これにより、切断線での出血及び／又は他の体液の漏出を低減又は防止することができる点も理解されたい。更にまた、図８は、２つの概ね平坦で並置した組織の平面層（９２、９４）において作動されているエンドエフェクタ（４０）を示すが、エンドエフェクタ（４０）は、環状構造、例えば血管、消化管のセクションなどにわたって作動され得ることを理解されたい。図８は、したがって、エンドエフェクタ（４０）についての意図された使用におけるなんらかの制限を示すものとして見られるべきではない。器具（１０）を使用することができる様々な適当な状況及び手術は、本明細書の教示を鑑みれば当業者には明らかとなるであろう。
【００２９】
器具（１０）の任意の他の構成要素又は機構は、本明細書に引用される様々な参照文献のうちいずれかに従って構成され、動作可能であることも理解されたい。器具（１０）に行うことができる更なる例示的な改変例について以下により詳細に記載する。以下の教示を器具（１０）に組み込むことができる様々な適当な方法が当業者には明らかであろう。同様に、以下の教示を本明細書で引用された参考文献の様々な教示と組み合わせることができる様々な好適な方法が当業者には明らかであろう。また、以下の教示は、本明細書に引用される参考文献に教示される器具（１０）又は装置に限定されない点も理解されたい。以下の教示は、外科用ステープラとして分類されない器具を含む他の様々な種類の器具に容易に応用することができる。以下の教示を適用することができる他の様々な適当な装置及び状況は、本明細書の教示を鑑みれば当業者には明らかとなるであろう。
【００３０】
ＩＩ．例示的代替ステープル留めエンドエフェクタ
上記の外科用器具（１０）が患者内の組織をステープル留めし及びそれを切断するために使用され得るエンドエフェクタ（４０）の一例を提供する一方、人体が、患者の体全体にわたる領域にアクセスすることが時々難しく異なって位置する様々な組織から成ることを認識されるであろう。例えば、肝臓は、肝臓全体を通る血管又は導管を含む組織を含む。肝臓が腫瘍を含む設定では、腫瘍を含有する肝臓の一部分を切除することが望ましい場合がある。切除は、解剖学的（例えば、肝臓の右側若しくは左側（その側の葉を含む）の切除）又は非解剖学的（例えば、肝組織の単なる単一の葉又はくさび状のものの切除）であり得る。この切除は、以下の少なくとも３種類のステップを伴う。（第１のステップ：血管又は導管の周囲の組織（例えば、肝実質）を解剖することによって、血管又は導管を分離又は見せる；第２のステップ：その血管又は導管を結紮する；第３のステップ：結紮された血管又は導管を切断する。）
【００３１】
肝臓切除の１つのそのような方法は、肝組織を圧搾することによって、圧縮アクションにより組織を解剖するためにケリー式鉗子が使用される既知のケリー鉗子方法を含む。しかしながら、処置は、そのような様々な組織及び血管又は導管を人体内に入れる多くの器具を必要とする場合があり、それによって、組織の状態を評価することに関連する時間及び複雑度が増加し、器具を選択及び／又は変更して、切除を行う場合がある。したがって、組織を圧搾することによって、組織を切断するように構成されている一対の圧搾表面（２１４，２１６）を有するエンドエフェクタ（２１２）を伴う外科用器具（２１０）を提供する一方で、また、隣接ステップカートリッジ（２１８）を提供し、組織を通る１つ以上の血管又は導管を選択的に結紮することが望ましい場合がある。それによって、単一の外科用器具（２１０）は、オペレータが組織をより速く評価することと、更なる組織解剖並びに／又は血管及び導管の結紮を続けることとを可能にするであろう。
【００３２】
圧搾表面（２１４，２１６）を伴う肝組織（例えば、肝実質）を解剖することと、関連の血管又は導管（例えば、門脈、肝静脈枝、肝動脈枝、肝外血管等）を結紮するステープルを使用することと関連して、外科用器具（２１０）が下記に説明される。いくつかの場合（例えば、肝静脈枝及び肝動脈枝等の場合）、オペレータが圧搾表面（２１４，２１６）を伴う肝組織を圧搾するとき、ステープルによってシールされる血管又は導管が露出される。他のいくつかの場合（例えば、門脈及び肝外血管等の場合）、ステープルによってシールされる血管又は導管は、オペレータが圧搾表面（２１４，２１６）を圧搾する肝組織から分離される。外科用器具（２１０）及び処置方法の以下の説明が肝臓切除に関連して提供されるが、外科用器具（２１０）が同様の特徴を伴う人体内のいずれかの組織を処置するように代替的に構成され得ることを認識されるであろう。また、下記に記載する特徴部は、上記に説明された外科用器具（１０）に容易に組み込まれ得ることを理解されたい。そのため、同じ数字は、より詳細に上記に説明された同じ特徴部を示す。
【００３３】
以下の例では、エンドエフェクタ（２１２）は、ステープル（ある列のステープルは別の列のステープルと同じ高さを有する）の横方向に間隔がある少なくとも２つの列を適用する。一部の形態では、エンドエフェクタ（２１２）は、ステープル（ある列のステープルは別の列のステープルと異なる高さを有する）の横方向に間隔がある少なくとも２つの列を適用するために修正される。
【００３４】
Ａ．湾曲エンドエフェクタを伴う例示的ステープル留め器具
図９〜図１２は、上側圧搾表面（２１４）、下側圧搾表面（２１６）、及びステープルカートリッジ（２１８）を有するエンドエフェクタ（２１２）を伴う、外科用器具（２１０）を示す。外科用器具（２１０）は、また、上記により詳細に説明された、ハンドル組立体（２０）及びシャフト組立体（３０）を含む。下記に別に説明されるものを除いて、エンドエフェクタ（２１２）は、ハンドル組立体（２０）及びシャフト組立体（３０）と連結して、エンドエフェクタ（４０）と同様に構成され、操作することができる（図１参照）。
【００３５】
本例のエンドエフェクタ（２１２）は、更に、下側ジョー（２２０）及び上側ジョー（２２２）を含む。上側ジョー（２２２）は、アンビル（２２４）を形成し、上側ジョー（２２２）と下側ジョー（２２０）との間で組織を受け入れるために、下側ジョー（２２０）に対して枢動可能に取り付けられている。より具体的には、アンビル（２２４）は、（例えば、ピストル把持部（２２）に向かうように及び離れるようにトリガー（２４）の枢動移動に応答して、）開放位置と閉鎖位置との間で下側ジョー（２２０）に向かうように及び離れるように枢動可能である。例えば、本例において、アンビル（２２４）は、ピン（図示しない）により画定される軸線を中心に枢動し、このピンは、アンビル（２２４）が下側ジョー（２２０）に向かって動くと、下側ジョー（２２０）の湾曲スロット（図示しない）に沿って摺動する。そのような形態では、枢動軸線がスロット（図示しない）によって画定された経路に沿って並進する一方で、アンビル（２２４）はその軸線を中心として同時に枢動する。追加的にあるいは代替的に、まず枢動軸線がスロット（図示しない）に沿って摺動し、次いで枢動軸線がスロット（図示しない）に沿ってある一定の距離を摺動した後に、アンビル（２２４）が枢動軸線を中心として枢動してもよい。あるいは、一部の形態は、固定されたままである、かつスロット又はチャネル等の内部を並進しない、軸線を中心としたアンビル（２２４）の枢動運動を提供してもよい。
【００３６】
図１０及び図１１に最もわかりやすく示されるように、本例の下側ジョー（２２０）は、ステープルカートリッジ（２１８）を受け入れるように構成されたチャネル（２２６）を画定する。ステープルカートリッジ（２１８）はチャネル（２２６）に挿入することができ、エンドエフェクタ（２１２）を作動することができ、その後、ステープルカートリッジ（２１８）を取り外し、別のステープルカートリッジ（２１８）と交換することができる。したがって、下側ジョー（２２０）は、エンドエフェクタ（２１２）を作動するためのアンビル（２２４）と位置合わせされたステープルカートリッジ（２１８）を解放可能に保持する。いくつかの代替形態では、ステープルカートリッジ（２１８）の構成要素は、エンドエフェクタ（２１２）が１回のみ使用され得るように、下側ジョー（２２０）に完全に組み込まれてもよい。下側ジョー（２２０）が取り得る他の好適な形態は、本明細書の教示を鑑みれば当業者には明らかとなるであろう。
【００３７】
エンドエフェクタ（２１２）は、概して、外科手術中の組織へのアクセス改善のために成形される。より具体的には、エンドエフェクタ（２１２）は、閉鎖リング（３６）から突出し及び弓形部分（２３０）まで延在する直線部分（２２８）を有する。一例の弓形部分（２３０）は、直線部分（２２８）に対して右（上から見ると）に、横方向に曲がる。しかしながら、弓形部分（２３０）は、あるいは、直線部分（２２８）に対して左（上から見ると）に、横方向に曲がり得ることを認識されるであろう。いずれかの場合、下側ジョー（２２０）及び上側ジョー（２２２）は、図１１〜図１３に示されるような直線部分（２２８）及び弓形部分（２３０）を画定する。追加的に、エンドエフェクタが組織内部の更なるアクセスのためにエンドエフェクタ（２１２）の遠位先端（２３２）に向かって横方向寸法において狭くなるように、下側ジョー（２２０）及び上側ジョー（２２２）は先細りになる。したがって、エンドエフェクタ（２１２）の横方向幅に沿った中心線（２３３）は、その直線部分（２２８）及び弓形部分（２３０）に続いて、エンドエフェクタ（２１２）に沿って長手方向に延在する。
【００３８】
ステープルカートリッジ（２１８）は、更に直線部分（２２８）及び弓形部分（２３０）を画定することによって及びエンドエフェクタ（２１２）を先細にすることによって、下側ジョー（２２０）及び上側ジョー（２２２）の形状に適応する。そのため、本例のステープルカートリッジ（２１８）は、カートリッジ本体（２３４）と、カートリッジ本体（２３４）の下面に固着されたトレー（図示しない）とを備えている。カートリッジ本体（２３４）の上面は、アンビル（２２４）が閉鎖位置にあるとき、組織を圧縮できるデッキ（２３８）を提示する。一部の形態では、下側圧搾表面（２１６）は、ステープルカートリッジ（２１８）に沿って位置付けられている。しかしながら、下側圧搾表面（２１６）並びに協働する上側圧搾表面（２１４）が、代わりに、圧縮によって組織を切断するために、エンドエフェクタ（２１２）に沿って位置付けられてもよいことを認識されるであろう。
【００３９】
カートリッジ本体（２３４）は、デッキ（２３８）の中心線（２３３）に沿った所定のパターンに従って、複数のステープルポケット（２４２ａ、２４２ｂ、２４２ｃ）を更に画定する。より具体的には、ステープルカートリッジ（２１８）は、長手方向に延在する２列のステープルポケット（２４２ａ、２４２ｂ、２４２ｃ）を含み、そのステープルポケットの２列は、中心線（２３３）の左側に左列と、中心線（２３３）の右側に右列とを伴う。
【００４０】
複数のステープル（２４４ａ、２４４ｂ、２４４ｃ）の１つは、各ステープルポケット（２４２ａ、２４２ｂ、２４２ｃ）内に位置付けられている。ステープルポケット（２４２ａ、２４２ｂ、２４２ｃ）の左列及び右列は、複数のステープル（２４４ａ、２４４ｂ、２４４ｃ）を組織内部に設置し及び結紮の改善のためにステープル間の開口部を抑制するために、中心線（２３３）の横方向で重なるように構成されている。言い換えると、本例の均一な重なりに隣接するステープルポケット（２４２ａ、２４２ｂ、２４２ｃ）間で、均一な間隔（Ｇ１）（図１４参照）が維持される。本明細書に使用されるような用語「重ねる」は、少なくとも１方向で別のものと重なる一方の特徴部を含むことが意図される。したがって、ある特徴は、別の特徴からオフセットされ得、更に、これらの特徴が少なくとも１つの平面（横方向を含む横断面等）内で重なる場合において本明細書に説明されるように重なり得る。下記に更に詳細に説明されるように、弓形部分（２３０）に適応するために、例示的カートリッジ本体（２３４）がステープル（２４４ａ、２４４ｂ、２４４ｃ）を伴う様々なステープルポケット（２４２ａ、２４２ｂ、２４２ｃ）を含む一方で、ステープル（２１８）の構成が多くの方法で変わり得ることが理解されよう。ステープルカートリッジ（２１８）が取り得る他の好適な形態は、本明細書の教示を鑑みれば当業者には明らかとなるであろう。
【００４１】
図１２に最もわかりやすく示されるように、本例のアンビル（２２４）は、複数のステープル成形ポケット（２４６ａ、２４６ｂ、２４６ｃ）を有する。各ステープル成形ポケット（２４６ａ、２４６ｂ、２４６ｃ）は、アンビル（２２４）が閉鎖位置にあるとき、ステープルカートリッジ（２１８）の対応するステープルポケット（２４２ａ、２４２ｂ、２４２ｃ）上に置かれるように位置付けられている。ステープル成形ポケット（２４６ａ、２４６ｂ、２４６ｃ）は、ステープル（２４４ａ、２４４ｂ、２４４ｃ）が組織を通してアンビル（２２４）の中に駆動されるとき、ステープル（２４４ａ、２４４ｂ、２４４ｃ）の各脚部（２４８）を変形させるように構成されている。特に、ステープル成形ポケット（２４６ａ、２４６ｂ、２４６ｃ）は、成形されたステープル（２４４ａ、２４４ｂ、２４４ｃ）を組織内で固定するためにステープル（２４４ａ、２４４ｂ、２４４ｃ）の脚部（２４８）を曲げるように構成されている。アンビル（２２４）が取り得る他の好適な形態は、本明細書の教示を鑑みれば当業者には明らかとなるであろう。
【００４２】
図１３に示されるように、ステープルカートリッジ（２１８）は、ステープルポケット（２４２ａ、２４２ｂ、２４２ｃ）内に、ステープル（２４４ａ、２４４ｂ、２４４ｃ）の対応するセットの下部に、及びトレー（図示しない）の上方に位置付けられる、ステープル列ドライバ（２５２）及び交差ステープルドライバ（２５４）を含む。以下でより詳細に説明されるように、ステープルドライバ（２５２、２５４）はステープルポケット（２４２ａ、２４２ｂ、２４２ｃ）内で上向きに並進するように動作可能であり、これによりステープル（２４４ａ、２４４ｂ、２４４ｃ）を、ステープルポケット（２４２ａ、２４２ｂ、２４２ｃ）を通って上向きに駆動させ、アンビル（２２４）と係合させる。ステープルドライバ（２５２、２５４）は、遠位に並進する楔形スレッド（２５６）により上向きに駆動され、この楔形スレッドはカートリッジ本体（２３４）とトレー（図示しない）との間に捕捉されて、これが、一対のカムスロット（２５７）に沿ってカートリッジ本体（２３４）を通って長手方向に並進する。楔形スレッド（２５６）は、先端カム表面（２６０）、中間カム表面（２６２）、及び後端カム表面（２６４）を有するカムランプ（２５８）を含む。ほんの一例として、先端カム表面（２６０）は水平面に対して約４５度の角度であってもよく、中間カム表面（２６２）は水平面に対して約２２度の角度であってもよい。あるいは、その他の任意の好適な角度を用いてもよい。カムランプ（２５８）は、概して、ステープルドライバ（２５２、２５４）に係合することにより、楔形スレッド（２５６）が、ステープルカートリッジ（２１８）を通って長手方向に近位スレッド位置から遠位スレッド位置まで並進するとき、ステープルドライバ（２５２、２５４）を上向きに駆動させるように構成されている。例えば、楔形スレッド（２５６）が近位スレッド位置にあるとき、ステープルドライバ（２５２、２５４）は下方位置にあり、ステープル（２４４ａ、２４４ｂ、２４４ｃ）は、デッキ（２３８）の下方のステープルポケット（４４２）内に位置する。
【００４３】
楔形スレッド（２５６）は、並進部材（２６６）によって遠位に駆動される。ほんの一例として、並進部材（２６６）は、トリガー（２６）を作動させることによって、遠位に並進してもよい。したがって、並進部材（２６６）は、上記に説明された発射ビーム（８２）と同様の様式で動作してもよいが、並進部材（２６６）は、切断縁部（８４）がなく、別の方法で組織を切断できない。並進部材（２６６）によって楔状スレッド（２５６）が遠位スレッド位置に駆動されると、楔状スレッド（２５６）がステープルドライバ（２５２、２５４）を上向きに駆動することにより、ステープル（２４４ａ、２４４ｂ、２４４ｃ）をステープルポケット（２４２ａ、２４２ｂ、２４２ｃ）から外に出し、ステープル形成ポケット（２４６ａ、２４６ｂ、２４６ｃ）内へと駆動する。したがって、楔形スレッド（２５６）が水平面に沿って並進すると、ステープルドライバ（２５２、２５４）は各垂直面に沿って並進する。
【００４４】
１．ステープルカートリッジの弓形部分及び重なる所定のステープルパターンの例
上記に説明されたように、エンドエフェクタ（２１２）は、デッキ（２３８）を通って延在するステープルポケット（２４２ａ、２４２ｂ、２４２ｃ）の左右の列のどちらかに沿った、弓形部分（２３０）を含む。図１３及び図１４に示される例示的ステープルカートリッジ（２１８）は右に曲がり、したがって、右列のステープルポケット（２４２ａ）は、中心線（２３３）から半径方向内向きに位置付けられる一方、左列のステープルポケット（２４２ｂ）は、中心線（２３３）から半径方向外向きに位置付けられる。追加的に、直線部分（２２８）でありかつ右列にあるステープルポケット（２４２ａ）は、ステープル（２４４ａ）を入れるような頭頂部寸法（Ｃ１）を有する。したがって、均一な間隔（Ｇ１）は、外側湾曲部の列のステープルポケット（２４２ｂ）と横方向で均一に重なるために、内側湾曲部の列の隣接するステープルポケット（２４２ａ）の間に維持される。
【００４５】
しかしながら、これらのステープルポケット（２４２ａ、２４２ｂ）が中心線（２３３）上の各側に弓形部分（２３０）の屈曲に続いているため、ステープルポケット（２４２ｂ）の左側列又は外側列は、ステープルポケット（２４２ａ）の右側列又は内側列によって画定される短い弧に対して細長い弧を画定する。左側列又は外側列の弓形部分（２３０）内部の各ステープルポケット（２４２ｂ）及びステープル（２４４ｂ）は、したがって、均一な間隔（Ｇ１）を維持し並びに隣接するステープルポケット（２４２ａ）及びステープル（２４４ａ）と重なるために、細長い頭頂部寸法（Ｃ２）を伴い細長くなる。効果的に、各細長いステープル（２４２ｂ）の頭頂部（２８２ｂ）は、ステープルポケット（２４２ｂ）の左側列又は外側列の細長い弧を構成する各ステープル（２４２ａ）の頭頂部（２８２ａ）よりも長い。勿論、ステープルポケット及び関連ステープルの他の配列が、適宜、使用され得ることを認識されるであろう。例えば、１つ以上のステープルは、ステープルポケットの弧列の間隔長差を構成する直線部分（２２８）内で他のステープル（２４４ａ）に対して短くなり得る。
【００４６】
更には、上記のこれらの特徴の多くが下側ジョー（２１６）に関して具体的に説明される一方、対応する直線部分（２２８）及び弓形部分（２３０）は、また、上側ジョー（２１２）にも含まれることを認識されるであろう（図１１参照）。そのため、アンビル（２２４）（図１１参照）は、また、ステープルポケット（２４２ａ、２４２ｂ）にそれぞれ対応する及び細長い頭頂部（２８２ｂ）を伴うステープル（２４４ｂ）を形成するための細長い頭頂部寸法（Ｃ２）を含む、ステープル成形ポケット（２４６ａ、２４６ｂ）を含む（図１１参照）。したがって、上側ジョー（２１２）の形状は、下側ジョー（２１６）の形状に完全に合う。
【００４７】
２．組織切除の例示的方法
図１５Ａ〜図１５Ｆは、エンドエフェクタ（２１２）を使用して肝実質組織（３１０）等の組織を切除し、組織内の血管又は導管（３１６）を結紮する一例を示す。上記に述べたように、血管又は導管（３１６）は、肝静脈又は肝動脈を含んでもよい。また、本方法は、門脈及び肝外血管等の他の組織を結紮するためのエンドエフェクタ（２１２）の使用を更に含み得ることを理解されたい。
【００４８】
図１５Ｂに示されるように、血管又は導管（３１６）を含む組織（３１０）が下側ジョー（２２０）と上側ジョー（２２２）との間に位置するように、オペレータはエンドエフェクタ（２１２）を位置付ける。次に、オペレータは、それぞれ、上側ジョー（２２２）の上側圧搾表面（２１４）と下側ジョー（２２０）の下側圧搾表面（２１６）との間で組織（３１０）を圧縮し、所定の圧搾圧力を組織（３１０）に伝える。ほんの一例として、ジョー（２２０，２２２）は、トリガー（２４）をピストル把持部（２２）に向かって枢動させることによって、この様式で作動することができる。ジョー（２２０，２２２）は、完全閉鎖構成になるまで必ずしも作動する必要はないことを理解されたい。いくつかの場合、オペレータは、トリガー（２４）及びピストル把持部（２２）を通した触覚フィードバックに頼って、オペレータがジョー（２２０，２２２）の間の望まない方法で血管又は導管（３１６）を損傷させることなく、組織（３１０）を適切に圧搾させる所望の間隔を得たかどうかを判定してもよい。追加的にあるいは代替的に、オペレータは、視覚フィードバックに頼ってもよい。
【００４９】
いずれかの場合、ジョー（２２０，２２２）によってかけられる圧搾圧力は、組織（３１０）を効率的に切断し、次に、オペレータは、エンドエフェクタ（２１２）を組織（３１０）から取り外し、いずれかの血管又は導管（３１６）が存在するかどうかを視認する。図１５Ｃに示されるように、組織（３１０）の切断部の間に延在する血管又は導管（３１６）は無傷で露出したままの状態である。
【００５０】
いくつかの場合、オペレータは、血管又は導管（３１６）を無傷のままの状態にさせ得る。しかしながら、本例では、オペレータは、図１５Ｄ及び図１５Ｅに示されるように、血管又は導管（３１６）を結紮し、組織（３１０）の切断部の切除を完了させる。結紮は、上記により詳細に説明されたように、血管又は導管（３１６）内部で重なるステープル（２４４ａ、２４４ｂ、２４４ｃ）の少なくとも一部の配置を含む。したがって、同じエンドエフェクタ（２１２）は、肝臓の組織（３１０）を圧搾し（及びそれによって切断し）、また、組織（３１０）内の血管又は導管（３１６）を結紮するために使用され得ることを理解されたい。本例では、血管又は導管（３１６）の結紮後、オペレータは、エンドエフェクタ（２１２）を肝組織（３１０）から取り外し、血管又は導管（３１６）を、組織を切開することに関する技術分野で既知の別の外科用器具（例えば、従来式ブレード又はハサミ等）（図示しない）で切断する。それによって、オペレータは、図１５Ｆに示されるような、組織（３１０）の右部と、血管又は導管（３１６）の対応する部分との切除を完了する。適用されるステープル（２４４ａ）は、血管又は導管（３１６）の切断端（３１８）をシールする。
【００５１】
上記に説明されたように、オペレータは、図１５Ｃに示されるような血管（３１６）を視認するために、エンドエフェクタ（２１２）を取り外す。あるいは、オペレータは、図１５Ｂに示されるように、所定の圧搾圧力（又は上記に述べたような触覚及び／若しくは視覚フィードバックに基づいて決定されたようなもの）をかけてもよく、その直後に、血管又は導管（３１６）等のエンドエフェクタ内に残っているいずれかの組織を結紮してもよい。したがって、そのような組織を視認する必要はないが、オペレータは、１つ以上の肝臓切除手術で望まれるそのような視認を満足し得る。上記に説明された切除は、単なる例証にすぎず、肝組織に限定されるものではないことが認識されるであろう。あるいは、エンドエフェクタ（２１２）での組織切除は、ユーザによって望まれるような患者内の他の組織上で行われてもよい。
【００５２】
ＩＩＩ．例示的な組み合わせ
以下の実施例は、本明細書の教示を組み合わせるか又は適用することができる様々な非網羅的な方法に関する。以下の実施例は、本出願における又は本出願の後の出願におけるどの時点においても提示され得るいずれの請求項の適用範囲をも制限することを目的としたものではない点が理解されるべきである。一切の放棄を意図するものではない。以下の実施例は単なる例示の目的で与えられるものにすぎない。本明細書の様々な教示は、他の多くの方法で構成及び適用が可能であると企図される。また、いくつかの変形形態では、以下の実施例において言及される特定の特徴を省略してもよいことも企図される。したがって、本発明者によって、又は本発明者の利益となる継承者によって、後日、そうである旨が明示的に示されない限り、以下に言及される態様又は特徴のいずれも必須なものとして見なされるべきではない。以下に言及される特徴以外の更なる特徴を含む請求項が本出願において、又は本出願に関連する後の出願において示される場合、これらの更なる特徴は、特許性に関連するいずれかの理由によって追加されたものとして見なされるべきではない。
【実施例】
【００５３】
（実施例１）
患者の組織を処置するための外科用器具であって、（ａ）シャフト組立体と、（ｂ）ジョーの中心線に沿ってシャフト組立体から延在するエンドエフェクタであって、（ｉ）アンビルに接して押圧される複数のステープルを形成するように構成されているアンビルを有する、第１のジョーと、（ｉｉ）第２のジョーと、を備え、第１及び第２のジョーが開放構成と閉鎖構成との間を移行するように構成されている、エンドエフェクタと、（Ｃ）第２のジョー内部に受け入れられるステープルカートリッジであって、ステープルカートリッジ及びエンドエフェクタは弓形部分を有し、ステープルカートリッジは、（ｉ）アンビルに面するデッキであって、デッキは複数のステープル開口を画定し、複数のステープル開口は、弓形部分内の中心線から半径方向外向きに位置付けられるステープル開口の外側列と、弓形部分内の中心線から半径方向内向きに位置付けられるステープル開口の内側列とを備える、デッキと、（ｉｉ）複数のステープル開口内部にそれぞれが位置付けられる複数のステープルであって、複数のステープルは、ステープル開口の外側列及び内側列の内部でのそれぞれの受け入れのためのステープルの外側セット及びステープルの内側セットを含む、複数のステープルと、を備え、ステープルの外側セットの少なくとも１つのステープルは、ステープルの内側セットに対して細長い頭頂部を有し、それにより、ステープルの外側セットは、中心線の横方向にステープルの内側セットと重なるように構成されている、ステープルカートリッジと、を備える、外科用器具。
【００５４】
（実施例２）
エンドエフェクタ、ステープルカートリッジ、及び中心線は直線部分を有し、直線部分は弓形部分まで延在する、実施例１に記載の外科用器具。
【００５５】
（実施例３）
複数のステープル開口は、ステープル開口の第１の列及びステープル開口の第２の列を備え、ステープル開口の第１の列及び第２の列は、中心線の各側に位置付けられ、直線部分内のデッキ上に形成されている、実施例２に記載の外科用器具。
【００５６】
（実施例４）
ステープル開口の外側列は、複数のステープル開口の間に複数の外側間隔を画定し、ステープル開口の内側列は、複数のステープル開口の間に複数の内側間隔を画定し、内側間隔及び外側間隔は、同等の伸長度を有する、実施例１〜３のいずれか１つ以上の例に記載の外科用器具。
【００５７】
（実施例５）
複数のステープル開口は、ステープル開口の外側列と内側列との間に延在する少なくとも１つのステープル開口を更に含み、ステープル開口の外側列と内側列との間に延在する少なくとも１つのステープル開口は、中心線をまたぐ実施例１〜４のいずれか１つ以上の例に記載の外科用器具。
【００５８】
（実施例６）
中心線をまたぐ少なくとも１つのステープル開口は、デッキ内の最遠位ステープル開口である、実施例５に記載の外科用器具。
【００５９】
（実施例７）
第１のジョーは中心線に略平行に延在する第１の圧搾表面を備え、第１の圧搾表面は第１の圧搾表面に接する組織を受け入れるように構成され、第２のジョーは中心線に略平行に延在する第２の圧搾表面を備え、第２の圧搾表面は第２の圧搾表面に接する組織を受け入れるように構成され、第１及び第２の圧搾表面は、第１の圧搾表面と第２の圧搾表面との間の組織を第１及び第２の圧搾表面に沿って組織を切断するように構成されている圧搾圧力で、圧縮するように構成されている、実施例１〜６のいずれか１つ以上の例に記載の外科用器具。
【００６０】
（実施例８）
エンドエフェクタ、ステープルカートリッジ、及び中心線は直線部分を有し、直線部分は弓形部分まで延在し、第１及び第２の圧搾表面は直線部分及び弓形部分に沿って延在する、実施例７に記載の外科用器具。
【００６１】
（実施例９）
第２の圧搾表面はステープルカートリッジのデッキ上に形成されている、実施例８に記載の外科用器具。
【００６２】
（実施例１０）
弓形部分は、エンドエフェクタの遠位先端まで延在し、エンドエフェクタの少なくとも一部分は、遠位先端に向かって内向きに先細りになる、実施例１〜９のいずれか１つ以上の例に記載の外科用器具。
【００６３】
（実施例１１）
ステープルカートリッジは、更に、デッキに接近して、近位スレッド位置から遠位スレッド位置まで摺動するように構成されている楔形スレッドを備え、遠位スレッド位置は、エンドエフェクタの弓形部分内にある、実施例１〜１０のいずれか１つ以上の例に記載の外科用器具。
【００６４】
（実施例１２）
ステープルカートリッジは、デッキの下方に位置付けられるスロットを更に備え、スロットは、弓形部分を少なくとも部分的に通って中心線に沿って延在する、実施例１１に記載の外科用器具。
【００６５】
（実施例１３）
ステープルカートリッジは、更に、第１のドライバ及び第２のドライバを有するドライバ組立体を備え、第１のドライバは複数のステープルの第１のステープルを受け入れ、第２のドライバは複数のステープルの第２のステープルを受け入れ、ドライバ組立体は、遠位スレッド位置に向かって摺動する楔形スレッドによって係合されるように、かつ第１のジョーに向かって押されるように構成され、それにより、第１及び第２のステープルを組織内で形成するためのアンビルに向かって押す、実施例１２に記載の外科用器具。
【００６６】
（実施例１４）
楔形スレッドはカムランプを備え、カムランプは、スロット内部の中心線上に位置付けられ、ドライバ組立体に係合し及び第１のジョーに向かってドライバ組立体を押すように構成されている、実施例１３に記載の外科用器具。
【００６７】
（実施例１５）
楔形スレッドと係合される及び近位スレッド位置から遠位スレッド位置に向かって楔形スレッドを駆動させるように作動させるように構成されている、並進部材を更に備え、並進部材及び楔形スレッドは、弓形部分を通ってスロットに沿って中心線をたどるように構成されている、実施例１４に記載の外科用器具。
【００６８】
ＩＶ．その他
本明細書に記載の教示、表現要素、実施形態、実施例などのうちのいずれか１つ以上を、本明細書に記載の他の教示、表現要素、実施形態、実施例などのうちのいずれか１つ以上と組み合わせることができる点が理解されるべきである。したがって、上記の教示、表現要素、実施形態、実施例などは、互いに対して独立して考慮されるべきではない。本明細書の教示に照らして、本明細書の教示を組み合わせることができる様々な適切な方法が、当業者には容易に明らかとなろう。かかる改変例及び変形例は、「特許請求の範囲」内に含まれるものとする。
【００６９】
参照により本明細書に援用されると言及されたいかなる特許、刊行物、又はその他の開示内容も、全体的に又は部分的に、援用された内容が現行の定義、見解、又は本開示に記載されたその他の開示内容とあくまで矛盾しない範囲でのみ本明細書に援用されることを認識されたい。それ自体、また必要な範囲で、本明細書に明瞭に記載される開示内容は、参照により本明細書に援用されるいかなる矛盾する記載にも優先するものとする。参照により本明細書に援用されるものとするが、現行の定義、見解、又は本開示に記載されたその他の開示内容と矛盾する、任意の文献、又はそれらの部分は、援用文献と既存の開示内容との間に矛盾が生じない範囲においてのみ援用されるものとする。
【００７０】
上述の装置の変形形態は、医療専門家によって行われる従来の治療及び処置での用途だけでなく、ロボット支援された治療及び処置での用途も有することができる。あくまでも一例として、本明細書の様々な教示は、ロボット外科システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムに容易に組み込まれ得る。同様に、当業者であれば、本明細書における様々な教示が、以下の特許文献などのうちの任意のものの様々な教示と容易に組み合わされ得ることを認めるであろう。その特許文献などとは、その開示が参照により本明細書に組み込まれている１９９８年８月１１日に発行された「Ａｒｔｉｃｕｌａｔｅｄ  Ｓｕｒｇｉｃａｌ  Ｉｎｓｔｒｕｍｅｎｔ  Ｆｏｒ  Ｐｅｒｆｏｒｍｉｎｇ  Ｍｉｎｉｍａｌｌｙ  Ｉｎｖａｓｉｖｅ  Ｓｕｒｇｅｒｙ  Ｗｉｔｈ  Ｅｎｈａｎｃｅｄ  Ｄｅｘｔｅｒｉｔｙ  ａｎｄ  Ｓｅｎｓｉｔｉｖｉｔｙ」と題する米国特許第５，７９２，１３５号、その開示内容が参照により本明細書に組み込まれる、１９９８年１０月６日に発行された「Ｒｅｍｏｔｅ  Ｃｅｎｔｅｒ  Ｐｏｓｉｔｉｏｎｉｎｇ  Ｄｅｖｉｃｅ  ｗｉｔｈ  Ｆｌｅｘｉｂｌｅ  Ｄｒｉｖｅ」と題する米国特許第５，８１７，０８４号、その開示内容が参照により本明細書に組み込まれる、１９９９年３月２日に発行された「Ａｕｔｏｍａｔｅｄ  Ｅｎｄｏｓｃｏｐｅ  Ｓｙｓｔｅｍ  ｆｏｒ  Ｏｐｔｉｍａｌ  Ｐｏｓｉｔｉｏｎｉｎｇ」と題する米国特許第５，８７８，１９３号、その開示内容が参照により本明細書に組み込まれる、２００１年５月１５日に発行された「Ｒｏｂｏｔｉｃ  Ａｒｍ  ＤＬＵＳ  ｆｏｒ  Ｐｅｒｆｏｒｍｉｎｇ  Ｓｕｒｇｉｃａｌ  Ｔａｓｋｓ」と題する米国特許第６，２３１，５６５号、その開示内容が参照により本明細書に組み込まれる、２００４年８月３１日に発行された「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題する米国特許第６，７８３，５２４号、その開示内容が参照により本明細書に組み込まれる、２００２年４月２日に発行された「Ａｌｉｇｎｍｅｎｔ  ｏｆ  Ｍａｓｔｅｒ  ａｎｄ  Ｓｌａｖｅ  ｉｎ  ａ  Ｍｉｎｉｍａｌｌｙ  Ｉｎｖａｓｉｖｅ  Ｓｕｒｇｉｃａｌ  Ａｐｐａｒａｔｕｓ」と題する米国特許第６，３６４，８８８号、その開示内容が参照により本明細書に組み込まれる、２００９年４月２８日に発行された「Ｍｅｃｈａｎｉｃａｌ  Ａｃｔｕａｔｏｒ  Ｉｎｔｅｒｆａｃｅ  Ｓｙｓｔｅｍ  ｆｏｒ  Ｒｏｂｏｔｉｃ  Ｓｕｒｇｉｃａｌ  Ｔｏｏｌｓ」と題する米国特許第７，５２４，３２０号、その開示内容が参照により本明細書に組み込まれる、２０１０年４月６日に発行された「Ｐｌａｔｆｏｒｍ  Ｌｉｎｋ  Ｗｒｉｓｔ  Ｍｅｃｈａｎｉｓｍ」と題する米国特許第７，６９１，０９８号、その開示内容が参照により本明細書に組み込まれる、２０１０年１０月５日に発行された「Ｒｅｐｏｓｉｔｉｏｎｉｎｇ  ａｎｄ  Ｒｅｏｒｉｅｎｔａｔｉｏｎ  ｏｆ  Ｍａｓｔｅｒ／Ｓｌａｖｅ  Ｒｅｌａｔｉｏｎｓｈｉｐ  ｉｎ  Ｍｉｎｉｍａｌｌｙ  Ｉｎｖａｓｉｖｅ  Ｔｅｌ���ｓｕｒｇｅｒｙ」と題する米国特許第７，８０６，８９１号、その開示が参照により本明細書に組み込まれる、２０１３年１月１０日に公開された「Ａｕｔｏｍａｔｅｄ  Ｅｎｄ  Ｅｆｆｅｃｔｏｒ  Ｃｏｍｐｏｎｅｎｔ  Ｒｅｌｏａｄｉｎｇ  Ｓｙｓｔｅｍ  ｆｏｒ  Ｕｓｅ  ｗｉｔｈ  ａ  Ｒｏｂｏｔｉｃ  Ｓｙｓｔｅｍ」と題する米国特許出願公開第２０１３／００１２９５７号、その開示が参照により本明細書に組み込まれる、２０１２年８月９日に公開された「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔ  ｗｉｔｈ  Ｆｏｒｃｅ−Ｆｅｅｄｂａｃｋ  Ｃａｐａｂｉｌｉｔｉｅｓ」とする米国特許出願公開第２０１２／０１９９６３０号、その開示が参照により本明細書に組み込まれる、２０１２年５月３１日に公開された「Ｓｈｉｆｔａｂｌｅ  Ｄｒｉｖｅ  Ｉｎｔｅｒｆａｃｅ  ｆｏｒ  Ｒｏｂｏｔｉｃａｌｌｙ−Ｃｏｎｔｒｏｌｌｅｄ  Ｓｕｒｇｉｃａｌ  Ｔｏｏｌ」と題する米国特許出願公開第２０１２／０１３２４５０号、その開示が参照により本明細書に組み込まれる、２０１２年８月９日に公開された「Ｓｕｒｇｉｃａｌ  Ｓｔａｐｌｉｎｇ  Ｉｎｓｔｒｕｍｅｎｔｓ  ｗｉｔｈ  Ｃａｍ−Ｄｒｉｖｅｎ  Ｓｔａｐｌｅ  Ｄｅｐｌｏｙｍｅｎｔ  Ａｒｒａｎｇｅｍｅｎｔｓ」と題する米国特許出願公開第２０１２／０１９９６３３号、その開示が参照により本明細書に組み込まれる、２０１２年８月９日に公開された「Ｒｏｂｏｔｉｃａｌｌｙ−Ｃｏｎｔｒｏｌｌｅｄ  Ｍｏｔｏｒｉｚｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ  Ｈａｖｉｎｇ  Ｖａｒｉａｂｌｅ  Ａｃｔｕａｔｉｏｎ  Ｓｐｅｅｄｓ」と題する米国特許出願公開第２０１２／０１９９６３１号、その開示が参照により本明細書に組み込まれる、２０１２年８月９日に公開された「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔ  ｗｉｔｈ  Ｓｅｌｅｃｔｉｖｅｌｙ  Ａｒｔｉｃｕｌａｔａｂｌｅ  Ｅｎｄ  Ｅｆｆｅｃｔｏｒ」と題する米国特許出願公開第２０１２／０１９９６３２号、その開示が参照により本明細書に組み込まれる、２０１２年８月９日に公開された「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ」と題する米国特許出願公開第２０１２／０２０３２４７号、２０１２年８月２３日に公開された「Ｄｒｉｖｅ  Ｉｎｔｅｒｆａｃｅ  ｆｏｒ  Ｏｐｅｒａｂｌｙ  Ｃｏｕｐｌｉｎｇ  ａ  Ｍａｎｉｐｕｌａｔａｂｌｅ  Ｓｕｒｇｉｃａｌ  Ｔｏｏｌ  ｔｏ  ａ  Ｒｏｂｏｔ」と題する米国特許出願公開第２０１２／０２１１５４６号、その開示内容が参照により本明細書に組み込まれている２０１２年６月７日に公開された「Ｒｏｂｏｔｉｃａｌｌｙ−Ｃｏｎｔｒｏｌｌｅｄ  Ｃａｂｌｅ−Ｂａｓｅｄ  Ｓｕｒｇｉｃａｌ  Ｅｎｄ  Ｅｆｆｅｃｔｏｒｓ」と題する米国特許出願公開第２０１２／０１３８６６０号、及び／又は、その開示が参照により本明細書に組み込まれている２０１２年８月１６日に公開された「Ｒｏｂｏｔｉｃａｌｌｙ−Ｃｏｎｔｒｏｌｌｅｄ  Ｓｕｒｇｉｃａｌ  Ｅｎｄ  Ｅｆ���ｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ」と題する米国特許出願公開第２０１２／０２０５４２１号である。
【００７１】
上述の装置の変形例は、１回の使用後に処分するように設計されることができ、又はそれらは、複数回使用するように設計することができる。いずれか又は両方の場合において、変形形態は、少なくとも１回の使用後に再利用のために再調整され得る。再調整は、デバイスの分解工程、それに続く特定の部品の洗浄又は交換工程、及びその後の再組立工程の任意の組み合わせを含み得る。特に、装置のいくつかの変形形態は分解することができ、また、装置の任意の数の特定の部材又は部品を、任意の組み合わせで選択的に交換するか又は取り外してもよい。特定の部品の洗浄及び／又は交換の際、装置のいくつかの変更例は、再調整用の施設で、又は手術の直前にオペレータによって、その後の使用のために再組み立てされてもよい。当業者であれば、デバイスの再調整において、分解、洗浄／交換、及び再組立のための様々な技術を使用できる点を認識するであろう。かかる技術の使用、及び結果として得られる再調整されたデバイスは、全て本発明の範囲内にある。
【００７２】
あくまで一例として、本明細書に記載される変形形態は、手術の前及び／又は後に滅菌されてもよい。１つの滅菌法では、装置をプラスチック製又はＴＹＶＥＫ製のバックなどの閉鎖及び密封された容器に入れる。次いで、容器及び装置を、γ線、Ｘ線、又は高エネルギー電子線などの、容器を透過し得る放射線場に置くことができる。放射線は、装置の表面及び容器内の細菌を死滅させることができる。この後、滅菌された装置を、後の使用のために、滅菌容器中で保管することができる。デバイスはまた、β線若しくはγ線、エチレンオキシド、又は水蒸気が挙げられるがこれらに限定されない、技術分野で既知の任意の別の技術を用いて滅菌され得る。
【００７３】
以上、本発明の様々な実施形態を図示及び説明したが、本発明の範囲から逸脱することなく、当業者による適切な改変により、本明細書に記載される方法及びシステムの更なる適合化を実現することができる。そのような可能な改変のうちのいくつかについて述べたが、他の改変も当業者には明らかとなるであろう。例えば、上記で論じた実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され説明された構造及び動作の細部に限定されないものとして理解されたい。
【００７４】
〔実施の態様〕
（１）  患者の組織を処置するための外科用器具であって、
（ａ）シャフト組立体と、
（ｂ）ジョー中心線に沿って前記シャフト組立体から延在するエンドエフェクタであって、
（ｉ）アンビルに接して押圧される複数のステープルを形成するように構成されている前記アンビルを有する、第１のジョーと、
（ｉｉ）第２のジョーと、を備え、前記第１及び第２のジョーが開放構成と閉鎖構成との間で移行するように構成されている、エンドエフェクタと、
（ｃ）前記第２のジョー内に受け入れられるステープルカートリッジであって、前記ステープルカートリッジ及び前記エンドエフェクタは弓形部分を有し、前記ステープルカートリッジは、
（ｉ）前記アンビルに面するデッキであって、前記デッキは複数のステープル開口を画定し、前記複数のステープル開口は、前記弓形部分内の前記中心線から半径方向外向きに位置付けられるステープル開口の外側列と、前記弓形部分内の前記中心線から半径方向内向きに位置付けられるステープル開口の内側列とを備える、デッキと、
（ｉｉ）前記複数のステープル開口内部にそれぞれが位置付けられる複数のステープルであって、前記複数のステープルは、前記ステープル開口の外側列及び内側列の内部でのそれぞれの受け入れのためのステープルの外側セット及びステープルの内側セットを含む、複数のステープルと、を備え、
前記ステープルの外側セットの少なくとも１つのステープルは、前記ステープルの内側セットに対して細長い頭頂部を有し、それにより、前記ステープルの外側セットは、前記中心線に横向きの方向に前記ステープルの内側セットと重なるように構成されている、ステープルカートリッジと、
を備える、外科用器具。
（２）  前記エンドエフェクタ、前記ステープルカートリッジ、及び前記中心線は直線部分を有し、前記直線部分は前記弓形部分まで延在する、実施態様１に記載の外科用器具。
（３）  前記複数のステープル開口は、ステープル開口の第１の列及びステープル開口の第２の列を備え、前記ステープル開口の第１の列及び第２の列は、中心線の各側に位置付けられ、前記直線部分内の前記デッキ上に形成されている、実施態様２に記載の外科用器具。
（４）  前記ステープル開口の外側列は、前記複数のステープル開口の間に複数の外側間隔を画定し、前記ステープル開口の内側列は、前記複数のステープル開口の間に複数の内側間隔を画定し、前記内側間隔及び外側間隔は、同等の伸長度を有する、実施態様１に記載の外科用器具。
（５）  前記複数のステープル開口は、前記ステープル開口の外側列と内側列との間に延在する少なくとも１つのステープル開口を更に含み、前記ステープル開口の外側列と内側列との間に延在する前記少なくとも１つのステープル開口は、前記中心線をまたぐ、実施態様１に記載の外科用器具。
【００７５】
（６）  前記中心線をまたぐ前記少なくとも１つのステープル開口は、前記デッキ内の最遠位ステープル開口である、実施態様５に記載の外科用器具。
（７）  前記第１のジョーは前記中心線に略平行に延在する第１の圧搾表面を備え、前記第１の圧搾表面は前記第１の圧搾表面に接する組織を受け入れるように構成され、前記第２のジョーは前記中心線に略平行に延在する第２の圧搾表面を備え、前記第２の圧搾表面は前記第２の圧搾表面に接する前記組織を受け入れるように構成され、前記第１及び第２の圧搾表面は、前記第１の圧搾表面と前記第２の圧搾表面との間の組織を、前記第１及び第２の圧搾表面に沿って前記組織を切断するように構成されている圧搾圧力で、圧縮するように構成されている、実施態様１に記載の外科用器具。
（８）  前記エンドエフェクタ、前記ステープルカートリッジ、及び前記中心線は、直線部分を有し、前記直線部分は、前記弓形部分まで延在し、前記第１及び第２の圧搾表面は、前記直線部分及び前記弓形部分に沿って延在する、実施態様７に記載の外科用器具。
（９）  前記第２の圧搾表面は、前記ステープルカートリッジの前記デッキ上に形成されている、実施態様８に記載の外科用器具。
（１０）  前記弓形部分は、前記エンドエフェクタの遠位先端まで延在し、前記エンドエフェクタの少なくとも一部分は、前記遠位先端に向かって内向きに先細りになる、実施態様１に記載の外科用器具。
【００７６】
（１１）  ステープルカートリッジは、前記デッキに接近して、近位スレッド位置から遠位スレッド位置まで摺動するように構成されている楔形スレッドを更に備え、前記遠位スレッド位置は、前記エンドエフェクタの前記弓形部分内にある、実施態様１に記載の外科用器具。
（１２）  前記ステープルカートリッジは、前記デッキの下方に位置付けられるスロットを更に備え、前記スロットは、前記弓形部分を少なくとも部分的に通って前記中心線に沿って延在する、実施態様１１に記載の外科用器具。
（１３）  前記ステープルカートリッジは、第１のドライバ及び第２のドライバを有するドライバ組立体を更に備え、前記第１のドライバは、前記複数のステープルの第１のステープルを受け入れ、前記第２のドライバは、前記複数のステープルの第２のステープルを受け入れ、前記ドライバ組立体は、前記遠位スレッド位置に向かって摺動する前記楔形スレッドによって係合されるように、かつ前記第１のジョーに向かって押されるように構成され、それにより、前記第１及び第２のステープルを組織内での形成のために前記アンビルに向かって押す、実施態様１２に記載の外科用器具。
（１４）  前記楔形スレッドは、カムランプを備え、前記カムランプは、前記スロット内部の前記中心線上に位置付けられ、前記ドライバ組立体に係合し、かつ前記第１のジョーに向かって前記ドライバ組立体を押すように構成されている、実施態様１３に記載の外科用器具。
（１５）  前記楔形スレッドと係合され、かつ前記近位スレッド位置から前記遠位スレッド位置に向かって前記楔形スレッドを駆動させるように作動されるように構成されている並進部材を更に備え、前記並進部材及び前記楔形スレッドは、前記弓形部分を通って前記スロットに沿って前記中心線をたどるように構成されている、実施態様１４に記載の外科用器具。
【図１】
2018532494.tif 000003
【図２】
2018532494.tif 000004
【図３】
2018532494.tif 000005
【図４】
2018532494.tif 000006
【図５】
2018532494.tif 000007
【図６】
2018532494.tif 000008
【図７Ａ】
2018532494.tif 000009
【図７Ｂ】
2018532494.tif 000010
【図８】
2018532494.tif 000011
【図９】
2018532494.tif 000012
【図１０】
2018532494.tif 000013
【図１１】
2018532494.tif 000014
【図１２】
2018532494.tif 000015
【図１３】
2018532494.tif 000016
【図１４】
2018532494.tif 000017
【図１５Ａ】
2018532494.tif 000018
【図１５Ｂ】
2018532494.tif 000019
【図１５Ｃ】
2018532494.tif 000020
【図１５Ｄ】
2018532494.tif 000021
【図１５Ｅ】
2018532494.tif 000022
【図１５Ｆ】
2018532494.tif 000023
【国際調査報告】
2018532494.tif 000024
2018532494.tif 000025
2018532494.tif 000026